(57)【要約】【課題】冷房、暖房の切替時における作動の安定性を向上するようにしたエジェクタ式冷凍サイクル１０を提供する。【解決手段】  冷房運転時に、圧縮機２０→室外熱交換器２５→四方弁２４→エジェクタ３０の入口１１０ａ、出口１１０ｃ→熱交換器３２ｂ→四方弁２４→分岐部Ｂ３→エジェクタ２１の吸入口１００ｂ、出口１００ｃ→気液分離器２２→圧縮機２０の順に冷媒が流れる。分岐部Ｂ３→減圧弁３１→熱交換器３２ａ→エジェクタ３０の吸入口１１０ｂの順に冷媒が流れる。暖房運転時には、圧縮機２０→四方弁２３→開閉弁２６→熱交換器３２ａ→エジェクタ３０の吸入口１１０ｂ、出口１１０ｃ→熱交換器３２ｂ→四方弁２４→分岐部Ｂ２→エジェクタ２１の入口１００ａ、出口１００ｃ→気液分離器２２→圧縮機２０の順に冷媒が流れる。気液分離器２２→熱交換器３２ａ→エジェクタ３０の吸入口１１０ｂの順に冷媒が流れる。【選択図】図１
2020060357.tif 000002
【特許請求の範囲】
【請求項１】
冷媒を吸入して圧縮して吐出する圧縮機（２０）と、
空調対象空間へ送風される空気と冷媒との間で熱交換させる第１熱交換器（３２ａ）と、
外気と冷媒との間で熱交させる第２熱交換器（２５）と、
第１入口（１１０ａ）から流入される冷媒を減圧膨張する第１ノズル（１１０）を備え、  前記第１ノズルから冷媒が噴出されることにより前記第１熱交換器からの冷媒を第１吸入口（１１０ｂ）を通して吸入し、この吸入される冷媒と前記ノズルから噴出される冷媒とを昇圧して第１出口（１１０ｃ）から排出する第１エジェクタ（３０）と、
冷媒を減圧させる減圧弁（３１）と、
第２入口（１００ａ）から流入される冷媒を減圧膨張する第２ノズル（１００）を備え、前記第２ノズルから冷媒が噴出されることにより第２吸入口（１００ｂ）を通して冷媒を吸入し、この吸入される冷媒と前記第２ノズルから噴出される冷媒とを昇圧して第２出口（１００ｃ）から吐出する第２エジェクタ（２１）と、
冷媒を液相冷媒と気相冷媒とに分離して前記気相冷媒を前記圧縮機の入口に供給する気液分離器（２２）と、
前記減圧弁の冷媒出口と前記第１熱交換器の冷媒入口とが接続される部位を第１分岐部（Ｂ１）とした場合において、前記圧縮機の出口と前記第２熱交換器の入口とを接続し、かつ前記気液分離器の液相冷媒出口と前記第１分岐部との間を開放した第１状態と、前記圧縮機の出口と前記第１分岐部とを接続し、かつ前記気液分離器の液相冷媒出口と前記第２熱交換器の入口との間を接続した第２状態とを切り替える第１切替部（２３、２６、４０、４１）と、
前記減圧弁の冷媒入口と前記第１エジェクタの第１入口と前記第２エジェクタの第２入口とが接続される部位を第２分岐部（Ｂ２）とした場合において、前記気液分離器の冷媒入口と前記第１エジェクタの第１出口とを接続し、かつ前記第２分岐部と前記第２熱交換器の出口とを接続した第３状態と、前記気液分離器の冷媒入口と前記第２熱交換器の出口とを接続し、かつ前記第１エジェクタの第１出口と前記第２分岐部とを接続した第４状態とを切り替える第２切替部（２４、４２〜４５）と、
前記空調対象空間を冷却する冷房運転時には、前記第１熱交換器において前記冷媒によって空気を冷却し、かつ前記第２熱交換器において前記冷媒から前記外気に放熱させるために、前記第１切替部が前記第１状態にし、かつ前記第２切替部が前記第３状態にして、  前記圧縮機からの冷媒が前記第２熱交換器を通して前記第１エジェクタの第１入口に流入し、前記第２熱交換器からの冷媒が前記減圧弁および前記第１熱交換器を通して前記第１エジェクタの第１吸入口に流入し、前記第１エジェクタの第１出口からの冷媒が前記気液分離器を通して前記圧縮機の入口に流入し、
前記空調対象空間を加熱する暖房運転時には、前記第１熱交換器において前記冷媒から空気に放熱し、かつ前記第２熱交換器において前記冷媒が前記外気から吸熱させるために、前記第１切替部が前記第２状態にし、前記第２切替部が前記第４状態にして、
前記圧縮機からの冷媒が前記第１熱交換器、前記第１エジェクタの第１吸入口、第１出口、前記第２エジェクタの第２入口、第２出口を通して前記気液分離器に流入して、前記気液分離器からの気相冷媒が前記圧縮機の入口に流入し、かつ前記気液分離器からの液相冷媒が前記第２熱交換器を通して前記第２エジェクタの第２吸入口に流入するエジェクタ式冷凍サイクル。
【請求項２】
冷媒と空気との間で熱交換する第３熱交換器（３２ｂ）を備え、
前記第２切替部は、前記第３状態と前記第４状態とを切り替える四方弁（２４）であり、
前記第３熱交換器は、前記第１エジェクタの第１出口と前記四方弁との間に配置されており、
前記冷房運転時には、前記第３熱交換器において前記冷媒が空気を冷却するために、
前記第１エジェクタの第１出口からの冷媒が、前記第３熱交換器、前記四方弁、前記気液分離器を通して前記圧縮機の入口に流れ、
前記暖房運転時には、前記第３熱交換器において前記冷媒から空気に放熱するために、前記第１エジェクタの第１出口からの冷媒が、前記第３熱交換器、前記四方弁を通して前記第２エジェクタの第２入口に流れる請求項１に記載のエジェクタ式冷凍サイクル。
【請求項３】
冷媒と空気との間で熱交換する第３熱交換器（３２ｂ）を備え、
前記第２切替部は、
前記第２熱交換器の出口と前記第２エジェクタの第２吸入口との間の冷媒通路を開閉する第１弁（４２）と、
前記第１弁の入口と前記第２分岐部との間の冷媒通路を開閉する第２弁（４３）と、
前記第２エジェクタの第２出口と前記気液分離器の入口とが接続される部位を第９分岐部（Ｂ９）とし、前記第２分岐部と前記第９分岐部との間の前記冷媒通路を開閉する第３弁（４４）と、
前記第２分岐部と前記第９分岐部との間の前記冷媒通路と、前記第１エジェクタの第１出口とが接続される部位を第８分岐部（Ｂ８）とし、前記第２分岐部と前記第８分岐部との間の冷媒通路を開閉する第４弁（４５）と、を備え、
前記第３熱交換器は、前記第１エジェクタの第１出口と前記第８分岐部との間に配置されており、
前記冷房運転時には、前記第１弁が前記第２熱交換器の出口と前記第２エジェクタの第２吸入口との間の冷媒通路を閉じ、前記第２弁が前記第１弁の入口と前記第２分岐部との間の冷媒通路を開け、前記第３弁が前記第８分岐部と前記第９分岐部との間の冷媒通路を開け、前記第４弁が前記第２分岐部と前記第８分岐部との間の冷媒通路を閉じ、
前記冷房運転時には、前記第３熱交換器において前記冷媒が空気を冷却するために、前記第１エジェクタの第１出口からの冷媒が、前記第３熱交換器、前記第３弁、前記気液分離器を通して前記圧縮機の入口に流れ、
前記暖房運転時には、前記第１弁が前記第２熱交換器の出口と前記第２エジェクタの第２吸入口との間の冷媒通路を開け、前記第２弁が前記第１弁の入口と前記第２分岐部との間の冷媒通路を閉じ、前記第３弁が前記第８分岐部と前記第９分岐部との間の冷媒通路を閉じ、前記第４弁が前記第２分岐部と前記第８分岐部との間の冷媒通路を開け、
前記暖房運転時には、前記第３熱交換器において前記冷媒から空気に放熱するために、前記第１エジェクタの第１出口からの冷媒が、前記第３熱交換器、前記第４弁、前記第２エジェクタの第２入口に流れる請求項１に記載のエジェクタ式冷凍サイクル。
【請求項４】
冷媒を吸入して圧縮して吐出する圧縮機（２０）と、
空調対象空間へ送風される空気と冷媒との間で熱交換させる第１熱交換器（３２ａ）と、
外気と冷媒との間で熱交させる第２熱交換器（２５ａ）と、
第１入口（１１０ａ）から流入される冷媒を減圧膨張する第１ノズル（１１０）を備え、前記第１ノズルから冷媒が噴出されることにより前記第１熱交換器から第１吸入口（１１０ｂ）を通して冷媒を吸入し、この吸入される冷媒と前記ノズルから噴出される冷媒とを昇圧して第１出口（１１０ｃ）から排出する第１エジェクタ（３０）と、
冷媒を減圧させる第１減圧弁（３１）と、
第２入口（１００ａ）から流入される冷媒を減圧膨張する第２ノズル（１００）を備え、前記第２ノズルから冷媒が噴出されることにより前記第２熱交換器から第２吸入口（１００ｂ）を通して冷媒を吸入し、この吸入される冷媒と前記ノズルから噴出される冷媒とを昇圧して第２出口（１００ｃ）から吐出する第２エジェクタ（２１）と、
冷媒を減圧させる第２減圧弁（２１ａ）と、
前記第１減圧弁の冷媒出口と前記第１熱交換器の冷媒入口とが接続される部位を第１分岐部（Ｂ１）とし、前記第１減圧弁の冷媒入口、前記第２減圧弁の冷媒入口、前記第１エジェクタの第１入口、および前記第２エジェクタの第１入口とが接続される部位を第２分岐部（Ｂ２）とした場合において、
前記第２エジェクタの第２出口と前記第２分岐部とを接続し、かつ前記圧縮機の入口と前記第１エジェクタの第１出口とを接続した第１状態と、前記第２エジェクタの第２出口と前記圧縮機の入口とを接続し、かつ前記第２分岐部と前記第１エジェクタの第１出口とを接続した第２状態とを切り替える切替部（２３、２６、２６ａ、４０、４１、４４、４５）と、
前記空調対象空間を冷却する冷房運転時には、前記第１熱交換器において前記冷媒によって空気を冷却し、かつ前記第２熱交換器において前記冷媒から前記外気に放熱させるために、前記切替部が前記第１状態にして、
前記圧縮機からの冷媒が前記第２熱交換器、前記第２エジェクタの第２吸入口、第２出口を通して前記第１減圧弁、前記第１熱交換器を通して前記第１エジェクタの第１吸入口に流入し、前記第２エジェクタの第２出口からの冷媒が前記第１減圧弁、および前記第１熱交換器を通して前記第１エジェクタの第１吸入口に流入し、さらに前記第１エジェクタの第１出口からの冷媒が前記圧縮機の入口に流入し、
前記空調対象空間を加熱する暖房運転時には、前記第１熱交換器において前記冷媒から空気に放熱し、かつ前記第２熱交換器において前記冷媒が前記外気から吸熱させるために、前記切替部が前記第２状態にして、
前記圧縮機からの冷媒が前記第１熱交換器、前記第１エジェクタの第１吸入口、第１出口、前記第２エジェクタの第２入口、第２出口を通して前記圧縮機の入口に流入し、かつ前記第１エジェクタの第１出口からの冷媒が前記第２減圧弁、前記第２熱交換器を通して前記第２エジェクタの第２吸入口に流入するエジェクタ式冷凍サイクル。
【請求項５】
冷媒と空気との間で熱交換する第３熱交換器（３２ｂ）を備え、
前記切替部は、前記第１状態と前記第２状態とを切り替える四方弁（２３）を備え、
前記第３熱交換器は、前記第１エジェクタの第１出口と前記四方弁との間に配置されており、
前記冷房運転時には、前記第３熱交換器において前記冷媒が空気を冷却するために、
前記第１エジェクタの第１出口からの冷媒が、前記第３熱交換器、前記四方弁を通して前記圧縮機の入口に流れ、
前記暖房運転時には、前記第３熱交換器において前記冷媒から空気に放熱するために、前記第１エジェクタの第１出口からの冷媒が、前記第３熱交換器、前記四方弁を通して前記第２エジェクタの第２入口と前記第２減圧器の入口とに流れる請求項４に記載のエジェクタ式冷凍サイクル。
【請求項６】
冷媒と外気との間で熱交換する第４熱交換器（２５ｂ）を備え、
前記第４熱交換器は、前記第２エジェクタの第２出口と前記四方弁との間に配置されており、
前記冷房運転時には、前記第４熱交換器において前記冷媒から前記外気に放熱させるために、前記第２エジェクタの第２出口からの冷媒が前記第４熱交換器、前記四方弁を通過してから、前記第１減圧器の入口と前記第１エジェクタの第１入口に流れ、
前記暖房運転時には、前記第４熱交換器において前記冷媒によって前記外気から吸熱させるために、前記第２エジェクタの第２出口からの冷媒が前記第４熱交換器、前記四方弁を通過してから前記圧縮機の入口に流入される請求項４に記載のエジェクタ式冷凍サイクル。
【請求項７】
冷媒と空気との間で熱交換する第３熱交換器（３２ｂ）を備え、
前記切替部は、
前記圧縮機の入口と前記第１エジェクタの第１出口との間の冷媒通路を開閉する第１弁（４１）と、
前記第１エジェクタの第１出口と前記第１弁の入口とが接続される部位を第７分岐部（Ｂ７）としたとき、前記第７分岐部と前記第２分岐部との間の冷媒通路を開閉する第２弁（４５）と、を備え、
前記第３熱交換器は、前記第１エジェクタの第１出口と前記第７分岐部との間に配置されており、
前記冷房運転時には、前記第３熱交換器において前記冷媒により前記空気を冷却させるために、前記第１弁が前記圧縮機の入口と前記第１エジェクタの第１出口との間の冷媒通路を開け、前記第２弁が前記第７分岐部と前記第２分岐部との間の冷媒通路を閉じ、
前記第１エジェクタの第１出口からの冷媒が前記第３熱交換器、前記第１弁を通して前記圧縮機の入口に流れ、
前記暖房運転時には、前記第３熱交換器において前記冷媒から前記空気に放熱させるために、前記第１弁が前記圧縮機の入口と前記第１エジェクタの第１出口との間の冷媒通路を閉じ、前記第２弁が前記第７分岐部と前記第２分岐部との間の冷媒通路を開け、
前記第１エジェクタの第１出口からの冷媒が、前記第３熱交換器、前記第２弁を通して前記第２エジェクタの第２入口と前記第２減圧器の入口に流れる請求項４に記載のエジェクタ式冷凍サイクル。
【請求項８】
冷媒と外気との間で熱交換する第４熱交換器（２５ｂ）を備え、
前記切替部は、
前記第１弁の出口と前記圧縮機の入口とが接続される部位を第６分岐部（Ｂ６）としたとき、前記第６分岐部と前記第２エジェクタの第２出口との間の冷媒通路を開閉する第３弁（４６）と、
前記第３弁の入口と前記第２エジェクタの第２出口とが接続される部位を第９分岐部（Ｂ９）としたとき、前記第２分岐部および前記第９分岐部の間の冷媒通路を開閉する第４弁（４４）と、を備え、
前記第４熱交換器は、前記第２エジェクタの第２出口と前記第９分岐部との間に配置されており、
前記冷房運転時には、前記第４熱交換器において前記冷媒から外気に放熱させるために、前記第３弁が前記第６分岐部と前記第２エジェクタの第２出口との間の冷媒通路を閉じ、前記第４弁が前記第２分岐部および前記第９分岐部の間の冷媒通路を開け、
前記第２エジェクタの第２出口からの冷媒が前記第４熱交換器、前記第４弁を通して前記第１エジェクタの第１入口と前記第１減圧器の入口とに流れ、
前記暖房運転時には、前記第４熱交換器において前記冷媒によって外気から吸熱させるために、前記第３弁が前記第６分岐部と前記第２エジェクタの第２出口との間の冷媒通路を開け、前記第４弁が前記第２分岐部および前記第９分岐部の間の冷媒通路を閉じ、
前記第２エジェクタの第２出口からの冷媒が前記第４熱交換器、前記第３弁を通して前記圧縮機の入口に流れる請求項７に記載のエジェクタ式冷凍サイクル。
【請求項９】
前記冷房運転時に、前記第２分岐部からの冷媒が前記第１エジェクタの第１入口に流れることを許容し、前記暖房運転時には、前記第１エジェクタの第１入口から冷媒が前記第２分岐部側に逆流することを止める第１弁（５０、１１０ｄ）と、
前記冷房運転時に、前記第２分岐部および前記第２エジェクタの第２入口の間で冷媒が流れることを止め、前記暖房運転時には、前記第２分岐部から前記第２エジェクタの第２入口に冷媒が流れることを許容する第２弁（５１、１００ｄ）と、を備える請求項１ないし８のいずれか１つに記載のエジェクタ式冷凍サイクル。
【請求項１０】
前記第１熱交換器、前記第１減圧弁、および前記第１エジェクタは、第１ユニット（１２）を構成し、
前記第２熱交換器、および前記第２エジェクタは、第２ユニット（１１）を構成し、
前記第１ユニットは、前記第２ユニットよりも天地方向上側に配置されている請求項１ないし９のいずれか１つに記載のエジェクタ式冷凍サイクル。
【請求項１１】
前記第２分岐部、前記第１減圧弁の入口、および前記第１エジェクタの入口が接続される部位を第３分岐部（Ｂ３）とした場合において、
前記第３分岐部は、前記第１ユニットを構成する請求項１ないし１０のいずれか１つに記載のエジェクタ式冷凍サイクル。
【発明の詳細な説明】
【技術分野】
【０００１】
本発明は、エジェクタ式冷凍サイクルに関するものである。
【背景技術】
【０００２】
従来、エジェクタを用いて冷暖房を行う冷凍サイクル装置としては、例えば、特許文献１が提案されている。特許文献１のヒートポンプ装置は、圧縮機、エジェクタ、室外熱交換器、室内熱交換器、気液分離器、四方弁、三方弁、および減圧弁を備える。
【０００３】
気液分離器は、エジェクタから流出した冷媒を気相冷媒と液相冷媒とに分離して冷媒を蓄える。減圧弁は、室外熱交換器および室内熱交換器を接続する冷媒通路に配置されている。
【０００４】
四方弁は、圧縮機から吐出した冷媒を室外熱交換器側に流通させると同時に気液分離器から流出した液相冷媒を室内熱交換器側へ流出させる冷媒通路および圧縮機から吐出した冷媒を室内熱交換器側へ流出させると同時に室外熱交換器から流出した冷媒を気液分離器側へ流出される冷媒通路を切り換える。
【０００５】
三方弁は、室内熱交換器から流出した冷媒をエジェクタの吸引口側へ流出させる冷媒通路および室内熱交換器から流出した冷媒を減圧弁側へ流出させる冷媒通路を切り換える。二方弁は、室外熱交換器および減圧弁の間からエジェクタの入口側へ至る冷媒通路を開閉する。
【０００６】
このように構成されるエジェクタ式冷凍サイクルでは、四方弁、三方弁、および二方弁を作動させることにより、冷房、および暖房を切換える。
【先行技術文献】
【特許文献】
【０００７】
【特許文献１】特許４６３９５４１号明細書
【発明の概要】
【発明が解決しようとする課題】
【０００８】
本発明者等は、特許文献１のエジェクタ式冷凍サイクルを用いて、家庭用のエアコンへの流用を検討した。
【０００９】
例えば、圧縮機、室外熱交換器等を備える室外機を１階に配置し、室内熱交換器等を備える室内機を２階に配置した全館空調機などを想定した場合には、次のような問題が生じられる。
【００１０】
すなわち、室外機（１階）から室内機（２階）への冷媒の搬送を行うに当たっては、圧力ヘッドおよび冷媒圧力損失以上の力がエジェクタの吸引力に求められ、機器の作動状態によっては冷媒を搬送することができない場合が生じる。
【００１１】
そこで、室外機（１階）から室内機（２階）への冷媒の搬送を良好に行うために、図１６、図１７に示すように、エジェクタおよび気液分離器を室外機１１Ａと室内機１２Ａとにそれぞれに設けるヒートポンプ装置１Ａについて検討した。
まず、冷房運転時には、図１６に示すように、圧縮機２０→四方弁２３→室外熱交換器２５→四方弁２４→エジェクタ３０の入口１１０ａ、出口１１０ｃ→気液分離器２２Ａの入口、気相冷媒出口→四方弁２４→エジェクタ２１の吸入口１００ｂ、出口１００ｃ→気液分離器２２→圧縮機２０の入口の順に冷媒が流れる。
【００１２】
これに加えて、気液分離器２２Ａの液相冷媒出口→開閉弁６０→熱交換器３２Ａ→エジェクタ３０の吸入口１１０ｂの順に冷媒が流れる。
この場合、図１６に示すように、室内機１２Ａの気液分離器２２Ａに液相冷媒が貯まる一方、室外機１１Ａの気液分離器２２に液相冷媒が貯まらない。
【００１３】
暖房運転時には、図１７に示すように、圧縮機２０→四方弁２３→開閉弁６２→熱交換器３２Ａ→エジェクタ３０の吸入口１１０ｂ、出口１１０ｃ→気液分離器２２Ａ、および開閉弁７１→四方弁２４→分岐部Ｂ２→エジェクタ２１の入口１００ａ、出口１００ｃ→気液分離器２２→圧縮機２０の順に冷媒が流れる。
これに加えて、気液分離器２２の液相冷媒出口→四方弁２３→室外熱交換器２５→四方弁２４→エジェクタ２１の吸入口１００ｂの順に冷媒が流れる。
【００１４】
この場合、図１７に示すように、室外機１１Ａの気液分離器２２に液相冷媒が貯まる一方、室内機１２Ａの気液分離器２２Ａに液相冷媒が貯まらない。
【００１５】
このように、室外機１１Ａに気液分離器２２を採用し、室内機１２Ａの気液分離器２２Ａを採用して、冷房運転、暖房運転のうちいずれかを実施すると、気液分離器２２、２２Ａのうちいずれか一方の気液分離器に液相冷媒が貯まる。
このため、冷房、暖房の切替時には、気液分離器２２、２２Ａの間で液相冷媒の移動が必要となる。よって、冷房、暖房の切替時には、作動が不安定になる。
【００１６】
本発明は上記点に鑑みて、冷房、暖房の切替時における作動の安定性を向上するようにしたエジェクタ式冷凍サイクルを提供することを目的とする。
【課題を解決するための手段】
【００１７】
上記目的を達成するため、請求項１に記載の発明では、冷媒を吸入して圧縮して吐出する圧縮機（２０）と、
空調対象空間へ送風される空気と冷媒との間で熱交換させる第１熱交換器（３２ａ）と、
外気と冷媒との間で熱交させる第２熱交換器（２５）と、
第１入口（１１０ａ）から流入される冷媒を減圧膨張する第１ノズル（１１０）を備え、  第１ノズルから冷媒が噴出されることにより第１熱交換器からの冷媒を第１吸入口（１１０ｂ）を通して吸入し、この吸入される冷媒とノズルから噴出される冷媒とを昇圧して第１出口（１１０ｃ）から排出する第１エジェクタ（３０）と、
冷媒を減圧させる減圧弁（３１）と、
第２入口（１００ａ）から流入される冷媒を減圧膨張する第２ノズル（１００）を備え、第２ノズルから冷媒が噴出されることにより第２吸入口（１００ｂ）を通して冷媒を吸入し、この吸入される冷媒と第２ノズルから噴出される冷媒とを昇圧して第２出口（１００ｃ）から吐出する第２エジェクタ（２１）と、
冷媒を液相冷媒と気相冷媒とに分離して気相冷媒を圧縮機の入口に供給する気液分離器（２２）と、
減圧弁の冷媒出口と第１熱交換器の冷媒入口とが接続される部位を第１分岐部（Ｂ１）とした場合において、圧縮機の出口と第２熱交換器の入口とを接続し、かつ気液分離器の液相冷媒出口と第１分岐部との間を開放した第１状態と、圧縮機の出口と第１分岐部とを接続し、かつ気液分離器の液相冷媒出口と第２熱交換器の入口との間を接続した第２状態とを切り替える第１切替部（２３、２６、４０、４１）と、
減圧弁の冷媒入口と第１エジェクタの第１入口と第２エジェクタの第２入口とが接続される部位を第２分岐部（Ｂ２）とした場合において、気液分離器の冷媒入口と第１エジェクタの第１出口とを接続し、かつ第２分岐部と第２熱交換器の出口とを接続した第３状態と、気液分離器の冷媒入口と第２熱交換器の出口とを接続し、かつ第１エジェクタの第１出口と第２分岐部とを接続した第４状態とを切り替える第２切替部（２４、４２〜４５）と、
空調対象空間を冷却する冷房運転時には、第１熱交換器において冷媒によって空気を冷却し、かつ第２熱交換器において冷媒から外気に放熱させるために、第１切替部が第１状態にし、かつ第２切替部が第３状態にして、  圧縮機からの冷媒が第２熱交換器を通して第１エジェクタの第１入口に流入し、第２熱交換器からの冷媒が減圧弁および第１熱交換器を通して第１エジェクタの第１吸入口に流入し、第１エジェクタの第１出口からの冷媒が気液分離器を通して圧縮機の入口に流入し、
空調対象空間を加熱する暖房運転時には、第１熱交換器において冷媒から空気に放熱し、かつ第２熱交換器において冷媒が外気から吸熱させるために、第１切替部が第２状態にし、第２切替部が第４状態にして、
圧縮機からの冷媒が第１熱交換器、第１エジェクタの第１吸入口、第１出口、第２エジェクタの第２入口、第２出口を通して気液分離器に流入して、気液分離器からの気相冷媒が圧縮機の入口に流入し、かつ気液分離器からの液相冷媒が第２熱交換器を通して第２エジェクタの第２吸入口に流入する。
したがって、請求項１に記載の発明によれば、冷房運転時には、第１熱交換器により冷媒が空気から吸熱して冷媒が気化するため、圧縮機の入口に気相冷媒を供給することができる。このため、第１エジェクタの出口に気液分離器を設ける必要がなくなる。
以上により、冷房、暖房の切替時には、液相冷媒が移動しなくなる。よって、冷房、暖房の切替時における作動の安定性を向上するようにしたエジェクタ式冷凍サイクルを提供することができる。
さらに、請求項１に記載の発明によれば、冷房、暖房の切替時には、２つの気液分離器の間で液相冷媒が移動しなくなるため、冷媒の充填量管理が簡素となり、また作動中におけるオイルの管理も簡素となり、機器が故障し難くなる。
請求項４に記載の発明では、冷媒を吸入して圧縮して吐出する圧縮機（２０）と、
空調対象空間へ送風される空気と冷媒との間で熱交換させる第１熱交換器（３２ａ）と、
外気と冷媒との間で熱交させる第２熱交換器（２５ａ）と、
第１入口（１１０ａ）から流入される冷媒を減圧膨張する第１ノズル（１１０）を備え、第１ノズルから冷媒が噴出されることにより第１熱交換器から第１吸入口（１１０ｂ）を通して冷媒を吸入し、この吸入される冷媒とノズルから噴出される冷媒とを昇圧して第１出口（１１０ｃ）から排出する第１エジェクタ（３０）と、
冷媒を減圧させる第１減圧弁（３１）と、
第２入口（１００ａ）から流入される冷媒を減圧膨張する第２ノズル（１００）を備え、第２ノズルから冷媒が噴出されることにより第２熱交換器から第２吸入口（１００ｂ）を通して冷媒を吸入し、この吸入される冷媒とノズルから噴出される冷媒とを昇圧して第２出口（１００ｃ）から吐出する第２エジェクタ（２１）と、
冷媒を減圧させる第２減圧弁（２１ａ）と、
第１減圧弁の冷媒出口と第１熱交換器の冷媒入口とが接続される部位を第１分岐部（Ｂ１）とし、第１減圧弁の冷媒入口、第２減圧弁の冷媒入口、第１エジェクタの第１入口、および第２エジェクタの第１入口とが接続される部位を第２分岐部（Ｂ２）とした場合において、
第２エジェクタの第２出口と第２分岐部とを接続し、かつ圧縮機の入口と第１エジェクタの第１出口とを接続した第１状態と、第２エジェクタの第２出口と圧縮機の入口とを接続し、かつ第２分岐部と第１エジェクタの第１出口とを接続した第２状態とを切り替える切替部（２３、２６、２６ａ、４０、４１、４４、４５）と、
空調対象空間を冷却する冷房運転時には、第１熱交換器において冷媒によって空気を冷却し、かつ第２熱交換器において冷媒から外気に放熱させるために、切替部が第１状態にして、
圧縮機からの冷媒が第２熱交換器を通して第１エジェクタの第１入口に流入し、第２熱交換器からの冷媒が第１減圧弁、第１熱交換器を通して第１エジェクタの第１吸入口に流入し、第１エジェクタの第１出口からの冷媒が圧縮機の入口に流入し、
空調対象空間を加熱する暖房運転時には、第１熱交換器において冷媒から空気に放熱し、かつ第２熱交換器において冷媒が外気から吸熱させるために、切替部が第２状態にして、
圧縮機からの冷媒が第１熱交換器、第１エジェクタの第１吸入口、第１出口、第２エジェクタの第２入口、第２出口を通して圧縮機の入口に流入し、かつ第１エジェクタの第１出口からの冷媒が第２減圧弁、第２熱交換器を通して第２エジェクタの第２吸入口に流入する。
したがって、請求項４に記載の発明によれば、冷房運転時には、第１熱交換器により冷媒が空気から吸熱して冷媒が気化するため、圧縮機の入口に気相冷媒を供給することができる。このため、第１エジェクタの出口側に気液分離器を設ける必要がなくなる。
さらに、暖房運転時には、第２熱交換器では、冷媒が外気から吸熱して冷媒が気化するため、圧縮機の入口に気相冷媒を供給することができる。このため、第２エジェクタの出口側に気液分離器を設ける必要がなくなる。
以上により、冷房、暖房の切替時には、液相冷媒が移動しなくなる。よって、冷房、暖房の切替時における作動の安定性を向上するようにしたエジェクタ式冷凍サイクルを提供することができる。
さらに、請求項４に記載の発明によれば、冷房、暖房の切替時には、２つの気液分離器の間で液相冷媒が移動しなくなるため、冷媒の充填量管理が簡素となり、また作動中におけるオイルの管理も簡素となり、機器が故障し難くなる。
なお、この欄および特許請求の範囲で記載した各手段の括弧内の符号は、後述する実施形態に記載の具体的手段との対応関係を示すものである。
【図面の簡単な説明】
【００１８】
【図１】本発明の第１実施形態におけるエジェクタ式冷凍サイクルの全体構成を示す図であり、冷房運転時における冷媒の流れを示す図である。
【図２】図１中の室外機のエジェクタの内部構成を示す図である。
【図３】図１中の室内機のエジェクタの内部構成を示す図である。
【図４】第１実施形態におけるエジェクタ式冷凍サイクルの冷房運転時における冷媒状態の変化を示すモリエル線図である。
【図５】第１実施形態におけるエジェクタ式冷凍サイクルの全体構成を示す図であり、暖房運転時における冷媒の流れを示す図である。
【図６】第１実施形態におけるエジェクタ式冷凍サイクルの暖房運転時における冷媒状態の変化を示すモリエル線図である。
【図７】本発明の第２実施形態におけるエジェクタ式冷凍サイクルの全体構成を示す図であり、冷房運転時における冷媒の流れを示す図である。
【図８】第２実施形態におけるエジェクタ式冷凍サイクルの全体構成を示す図であり、暖房運転時における冷媒の流れを示す図である。
【図９】第２実施形態におけるエジェクタ式冷凍サイクルの暖房運転時における冷媒状態の変化を示すモリエル線図である。
【図１０】本発明の第３実施形態におけるエジェクタ式冷凍サイクルの全体構成を示す図であり、冷房運転時における冷媒の流れを示す図である。
【図１１】第３実施形態におけるエジェクタ式冷凍サイクルの全体構成を示す図であり、暖房運転時における冷媒の流れを示す図である。
【図１２】本発明の第４実施形態におけるエジェクタ式冷凍サイクルの全体構成を示す図であり、冷房運転時における冷媒の流れを示す図である。
【図１３】第４実施形態におけるエジェクタ式冷凍サイクルの全体構成を示す図であり、暖房運転時における冷媒の流れを示す図である。
【図１４】本発明の第５実施形態におけるエジェクタ式冷凍サイクルの全体構成を示す図であり、冷房運転時における冷媒の流れを示す図である。
【図１５】第５実施形態におけるエジェクタ式冷凍サイクルの全体構成を示す図であり、暖房運転時における冷媒の流れを示す図である。
【図１６】対比例におけるエジェクタ式冷凍サイクルの全体構成を示す図であり、冷房運転時における冷媒の流れを示す図である。
【図１７】対比例におけるエジェクタ式冷凍サイクルの全体構成を示す図であり、暖房運転時における冷媒の流れを示す図である。
【発明を実施するための形態】
【００１９】
以下、本発明の実施形態について図に基づいて説明する。なお、以下の各実施形態相互において、互いに同一もしくは均等である部分には、説明の簡略化を図るべく、図中、同一符号を付してある。
【００２０】
（第１実施形態）
本第１実施形態のエジェクタ式冷凍サイクル１０は、住宅の全室を空調する全館空調機に適用されるもので、図１に示すように、室外機１１、および室内機１２を備える。
【００２１】
室内機１２は、室外機１１に対して天地方向上側に配置されている。室外機１１は、住宅の１階の屋外に配置されたもので、圧縮機２０、エジェクタ２１、気液分離器２２、四方弁２３、２４、室外熱交換器２５、および開閉弁２６を備える第１ユニットである。圧縮機２０は、電動圧縮機であって、気液分離器２２の気相冷媒出口から気相冷媒を吸入して圧縮して吐出する。気相冷媒出口は、気液分離器２２において気相冷媒および液相冷媒のうち気相冷媒を排出する出口である。
【００２２】
エジェクタ２１は、図２に示すように、ノズル１００、混合部１０１、およびディフューザ１０２を備える。本実施形態では、冷媒としては、例えば二酸化炭素などが用いられている。
【００２３】
ノズル１００は、入口１００ａから入った冷媒の圧力エネルギー（圧力ヘッド）を速度エネルギー（速度ヘッド）に変換して冷媒を減圧膨張させる。
【００２４】
混合部１０１は、ノズル１００から噴射する高い速度の冷媒流により低圧側で蒸発した気相冷媒を吸入口１００ｂから吸引する。
【００２５】
ディフューザ１０２は、吸入口１００ｂから吸引した冷媒とノズル１００から噴射する冷媒とを混合させながら速度エネルギーを圧力エネルギーに変換して冷媒の圧力を昇圧させて出口１００ｃから噴出する。
【００２６】
本実施形態のエジェクタ２１には、その入口１００ａの開度を調整する開閉弁がインジェクタ１００ｄによって構成されている。
【００２７】
ここで、エジェクタ２１から噴出する冷媒は、必ずしもディフューザ１０２のみで昇圧されるものではなく、混合部１０１においても、低圧側で蒸発した気相冷媒を吸引する際に冷媒圧力を上昇させるので、混合部１０１とディフューザ１０２とを総称して昇圧部と呼ぶ。
【００２８】
なお、本実施形態では、混合部１０１の冷媒流路の断面積はディフューザ１０２まで一定であるが、混合部１０１の断面積をディフューザ１０２に向かうほど大きくなるようにテーパ状としてもよい。
【００２９】
四方弁２４は、入口２４ｂ、２４ｄ、出口２４ａ、２４ｃを備える。四方弁２４は、入口２４ｂおよび出口２４ａを接続し、かつ入口２４ｄおよび出口２４ｃを接続した第１状態と、入口２４ｂおよび出口２４ｃを接続し、かつ入口２４ｄおよび出口２４ａを接続した第２状態とを切り替える。
【００３０】
入口２４ｂは、冷媒流路によって室内機１２の熱交換器３２ｂの出口に接続されている。入口２４ｄは、冷媒流路によって室外熱交換器２５の出口に接続されている。出口２４ａは、冷媒流路によってエジェクタ２１の吸入口１００ｂに接続されている。出口２４ｃは、冷媒流路によって分岐部Ｂ２に接続されている。
【００３１】
ここで、分岐部Ｂ２は、エジェクタ２１の入口１００ａと室内機１２の分岐部Ｂ３とが冷媒流路によって接続されている共通接続部である。分岐部Ｂ２は、室外機１１を構成している。
【００３２】
分岐部Ｂ３は、減圧弁３１の入口とエジェクタ３０の入口１１０ａと分岐部Ｂ２とが冷媒流路によって接続されている共通接続部である。分岐部Ｂ３は、室内機１２を構成している。
【００３３】
四方弁２３は、入口２３ａ、２３ｃ、出口２３ｂ、２３ｄを備える。四方弁２３は、入口２３ａおよび出口２３ｂを接続し、かつ入口２３ｃおよび出口２３ｄを接続した第１状態と、入口２３ａおよび出口２３ｄを接続し、かつ入口２３ｃおよび出口２３ｂを接続した第２状態とを切り替える。
【００３４】
入口２３ａは、冷媒流路によって気液分離器２２の液相冷媒出口に接続されている。液相冷媒出口は、気液分離器２２において気相冷媒および液相冷媒のうち液相冷媒を排出する出口である。
入口２３ｃは、冷媒流路によって圧縮機２０の出口に接続されている。出口２３ｂは、冷媒流路によって開閉弁２６の入口に接続されている。出口２３ｄは、冷媒流路によって室外熱交換器２５の入口に接続されている。
【００３５】
開閉弁２６は、四方弁２３の出口２３ｂと分岐部Ｂ１との間の冷媒流路を開閉する弁である。分岐部Ｂ１は、減圧弁３１の出口と室内熱交換器３２の熱交換器３２ａの入口とが冷媒流路によって接続される共通接続部である。分岐部Ｂ１は、室内機１２を構成している。
【００３６】
室外熱交換器２５は、四方弁２３の出口２３ｄおよび四方弁２４の入口２４ｄの間に配置されている。室外熱交換器２５は、四方弁２３の出口２３ｄから四方弁２４の入口２４ｄに流れる冷媒と室外空気（以下、外気という）との間で熱交換する。気液分離器２２は、エジェクタ２１の出口１００ｃから排出される冷媒を気相冷媒と液相冷媒とに分離する。
【００３７】
図１の室内機１２は、エジェクタ３０、減圧弁３１、および室内熱交換器３２を備える第２ユニットである。エジェクタ３０は、図３に示すように、ノズル１１０、混合部１１１、およびディフューザ１１２を備える。
【００３８】
ノズル１１０は、入口１１０ａから入った冷媒の圧力エネルギー（圧力ヘッド）を速度エネルギー（速度ヘッド）に変換して冷媒を減圧膨張させる。混合部１１１は、ノズル１１０から噴射する高い速度の冷媒流により低圧側で蒸発した気相冷媒を吸入口１１０ｂから吸引する。
【００３９】
ディフューザ１１２は、吸入口１１０ｂから吸引した冷媒とノズル１１０から噴射する冷媒とを混合させながら速度エネルギーを圧力エネルギーに変換して冷媒の圧力を昇圧させて出口１１０ｃから噴出する。
【００４０】
本実施形態のエジェクタ３０には、その入口１１０ａの開度を調整する開閉弁がインジェクタ１１０ｄによって構成されている。
【００４１】
ここで、エジェクタ３０から噴出する冷媒は、必ずしもディフューザ１１２のみで昇圧されるものではなく、混合部１１１においても、低圧側で蒸発した気相冷媒を吸引する際に冷媒圧力を上昇させるので、混合部１１１とディフューザ１１２とを総称して昇圧部と呼ぶ。
【００４２】
なお、本実施形態では、混合部１１１の冷媒流路の断面積はディフューザ１１２まで一定であるが、混合部１１１の断面積をディフューザ１１２に向かうほど大きくなるようにテーパ状としてもよい。
【００４３】
減圧弁３１は、分岐部Ｂ３と室内熱交換器３２の熱交換器３２ａの入口との間に配置されている。減圧弁３１は、分岐部Ｂ３から熱交換器３２ａに流れる冷媒を減圧膨張する。
熱交換器３２ａは、減圧弁３１の出口およびエジェクタ３０の吸入口１１０ｂとの間に配置されている。熱交換器３２ａは、減圧弁３１の出口からエジェクタ３０の吸入口１１０ｂに流れる冷媒と空気との間で熱交換する。
【００４４】
室内熱交換器３２は、熱交換器３２ａとともに、熱交換器３２ｂを備える。熱交換器３２ｂは、エジェクタ３０の出口１１０ｃおよび四方弁２４の入口２４ｂの間に配置されている。熱交換器３２ｂは、エジェクタ３０の出口１１０ｃから四方弁２４の入口２４ｂに流れる冷媒と空気との間で熱交換する。
【００４５】
ここで、熱交換器３２ａ、３２ｂにおいて冷媒との間で熱交換される空気は、送風機によって住宅の空調対象空間（例えば、部屋）へ送風される空気である。空気は、空調対象空間を加熱する暖房、空調対象空間を冷却する冷房に用いられる。
【００４６】
次に、本実施形態のエジェクタ式冷凍サイクル１０の作動について暖房運転と冷房運転とに分けて説明する。
【００４７】
（冷房運転）
以下、エジェクタ式冷凍サイクル１０の冷房運転時の作動について図１、図２、図３、図４等を参照して説明する。
【００４８】
まず、室外機１１において、四方弁２４は、入口２４ｂおよび出口２４ａを接続し、かつ入口２４ｃおよび出口２４ｄを接続する。四方弁２３は、入口２３ａおよび出口２３ｂを接続し、かつ入口２３ｃおよび出口２３ｄを接続する。開閉弁２６が分岐部Ｂ１と四方弁２３の出口２３ｂとの間の冷媒通路を閉じる。
このことにより、気液分離器２２の液相冷媒出口と分岐部Ｂ１との間が開放されることになる。
【００４９】
室内機１２のエジェクタ３０の入口１１０ａがインジェクタ１１０ｄによって開けられている。このことにより、分岐部Ｂ３とエジェクタ３０のノズル１１０との間の冷媒流路が開けられる。このため、分岐部Ｂ３から冷媒がエジェクタ３０のノズル１１０に流れることがインジェクタ１１０ｄによって許容される。
【００５０】
室外機１１のエジェクタ２１の入口１００ａがインジェクタ１００ｄによって閉じられている。このことにより、分岐部Ｂ２とエジェクタ２１のノズル１００との間の冷媒流路が閉じられる。このため、分岐部Ｂ２およびエジェクタ２１のノズル１００の間の冷媒通路に冷媒が流通することがインジェクタ１００ｄによって止められる。
【００５１】
まず、圧縮機２０は、気液分離器２２の気相冷媒出口から気相冷媒を吸入して圧縮して高温高圧の気相冷媒を吐出する。この吐出された気相冷媒は、四方弁２３の入口２３ｃ、出口２３ｄを通して室外熱交換器２５に流れる。
【００５２】
このため、室外熱交換器２５では、気相冷媒と外気との間で熱交換して気相冷媒が外気に放熱する。この放熱した冷媒が、四方弁２４の入口２４ｄおよび出口２４ｃを通して分岐部Ｂ２を通して分岐部Ｂ３に流れる。この分岐部Ｂ３に流れる冷媒の一部は、エジェクタ３０の入口１１０ａに流れる。
【００５３】
ここで、この分岐部Ｂ３に流れる冷媒のうちエジェクタ３０の入口１１０ａに流れる冷媒以外の残りの冷媒は、減圧弁３１によって減圧膨張される。この減圧膨張される冷媒は、熱交換器３２ａにおいて、空気との間の熱交換によって空気から吸熱する。このことにより、空気が冷媒によって冷却される。この空気から吸熱した冷媒は、エジェクタ３０の吸入口１１０ｂに流れる。
【００５４】
一方、エジェクタ３０の入口１１０ａに流れる冷媒は、ノズル１１０において減圧膨張されて混合部１１１に噴射される。
【００５５】
この混合部１１１に冷媒が噴射されることにより、熱交換器３２ａからの冷媒を吸入口１１０ｂを通して吸引する。ディフューザ１１２では、吸入口１１０ｂから吸引された冷媒とノズル１１０から噴射する冷媒とが混合しながら圧力を昇圧して出口１１０ｃから排出される。
【００５６】
この排出された冷媒は、熱交換器３２ｂにおいて、空気との間で熱交換して空気から吸熱する。このことにより、空気が冷媒によって冷却される。このため、熱交換器３２ｂから気相冷媒として流れ出る。
【００５７】
この流れ出る気相冷媒は、室外機１１の四方弁２４の入口２４ｂ、出口２４ａを通してエジェクタ２１の吸入口１００ｂに流れる。
【００５８】
この吸入口１００ｂに流れる気相冷媒は、混合部１０１、ディフューザ１０２を通過して、気液分離器２２の冷媒入口、気相冷媒出口を通過して圧縮機２０の入口に流れる。
【００５９】
本実施形態の冷房運転時における冷媒の状態変化について図４のモリエル線を参照して説明する。
【００６０】
図４は横軸をエンタルピーとし、縦軸を圧力として、Ｈ１を飽和蒸気線とし、Ｈ２を飽和液線とし、丸点を臨界点とし、エジェクタ式冷凍サイクル１０における冷媒の状態変化を示すモリエル線である。
【００６１】
Ｒ１は圧縮機２０の入口の冷媒状態であり、Ｒ２は圧縮機２０の吐出口の冷媒状態であり、Ｒ３は室外熱交換器２５の出口の冷媒状態であり、Ｒ４は減圧弁３１の出口の冷媒状態である。Ｒ５は熱交換器３２ａの出口の冷媒状態であり、Ｒ６はエジェクタ３０の混合部１１１の冷媒状態であり、Ｒ７はエジェクタ３０の出口１１０ｃの冷媒状態である。Ｒ８は、ノズル１１０内の冷媒状態である。
【００６２】
本実施形態の冷房運転時では、冷媒の状態がＲ１→Ｒ２→Ｒ３→Ｒ４→Ｒ５→Ｒ６→Ｒ７→Ｒ１の順に変化して、かつ冷媒の状態がＲ３→Ｒ８→Ｒ６の順に変化する。
【００６３】
（暖房運転）
以下、エジェクタ式冷凍サイクル１０の暖房時の作動について図２、図３、図５、図６を参照して説明する。
【００６４】
まず、室外機１１において、四方弁２４は、入口２４ｂおよび出口２４ｃを接続し、かつ入口２４ｄおよび出口２４ａを接続する。四方弁２３は、入口２３ａおよび出口２３ｄを接続し、かつ入口２３ｃおよび出口２３ｂを接続する。
【００６５】
開閉弁２６が分岐部Ｂ１と四方弁２３の出口２３ｂとの間の冷媒通路を開ける。
【００６６】
室内機１２のエジェクタ３０の入口１１０ａがインジェクタ１１０ｄによって閉じられている。このことにより、分岐部Ｂ３とエジェクタ３０のノズル１１０との間の冷媒流路が閉じられる。このため、冷媒がエジェクタ３０の吸入口１１０ｂから入口１１０ａを通して分岐部Ｂ３に流れることがインジェクタ１１０ｄによって止められる。
【００６７】
室外機１１のエジェクタ２１の入口１００ａがインジェクタ１００ｄによって開けられている。このことにより、分岐部Ｂ２とエジェクタ２１のノズル１００との間の冷媒流路が開けられる。このため、分岐部Ｂ２からエジェクタ２１の入口１００ａへ冷媒が流通することがインジェクタ１００ｄによって許容される。
【００６８】
まず、圧縮機２０は、気液分離器２２の気相冷媒出口から気相冷媒を吸入して圧縮して高温高圧の気相冷媒を吐出する。この吐出された気相冷媒は、四方弁２３の入口２３ｃ、出口２３ｂ、開閉弁２６、分岐部Ｂ１を通して室内熱交換器３２の熱交換器３２ａに流れる。
【００６９】
この熱交換器３２ａは、気相冷媒と空気との間で熱交換して冷媒が空気に放熱する。この放熱した気相冷媒は、エジェクタ３０に吸入口１１０ｂに流入される。この吸入口１１０ｂに流入した気相冷媒は、混合部１１１およびディフューザ１１２を通って熱交換器３２ｂに流れる。この熱交換器３２ｂでは、気相冷媒と空気との間で熱交換して冷媒が空気に放熱する。この放熱した気相冷媒は、熱交換器３２ｂから流れ出る。この流れ出る気相冷媒は、四方弁２４の入口２４ｂおよび出口２４ｃを通してエジェクタの入口１００ａに入る。
【００７０】
ここで、エジェクタの入口１００ａに流れる冷媒は、ノズル１００によって冷媒の圧力エネルギーが速度エネルギーに変換されて減圧膨張されてノズル１００から混合部１０１に噴射される。
【００７１】
この際に、混合部１０１では、ノズル１００から冷媒が噴出されることにより、吸入口１００ｂからの冷媒を吸入する。このため、ディフューザ１０２は、吸入口１００ｂから吸引した冷媒とノズル１００から噴射する冷媒とが混合しながら速度エネルギーを圧力エネルギーに変換して冷媒の圧力が昇圧して出口１００ｃから排出される。
【００７２】
この排出された冷媒は、気液分離器２２において、気相冷媒と液相冷媒とに分離される。気液分離器２２の気相冷媒出口からの気相冷媒は圧縮機２０の入口に流れる。
【００７３】
一方、気液分離器２２の液相冷媒出口からの液相冷媒が室外熱交換器２５に流れる。このため、室外熱交換器２５では、液相冷媒が外気から吸熱して蒸発する。この蒸発した冷媒は、四方弁２４の入口２４ｄおよび出口２４ａを通してエジェクタ２１の吸入口１００ｂに吸引される。
【００７４】
次に、本実施形態の暖房運転時における冷媒の状態変化について図６のモリエル線を参照して説明する。
【００７５】
図６は横軸をエンタルピーとし、縦軸を圧力として、Ｈ１を飽和蒸気線とし、Ｈ２を飽和液線とし、丸点を臨界点とし、エジェクタ式冷凍サイクル１０における冷媒の状態変化を示すモリエル線である。
【００７６】
Ｄ１は圧縮機２０の入口の冷媒状態であり、Ｄ２は圧縮機２０の吐出口の冷媒状態であり、Ｄ３は室内熱交換器３２の出口の冷媒状態であり、Ｄ４はエジェクタ２１のノズル１００内の冷媒状態であり、Ｄ５は室外熱交換器２５の出口の冷媒状態であり、Ｄ６はエジェクタ２１の混合部１０１の冷媒状態であり、Ｄ７はエジェクタ２１の出口１００ｃの冷媒状態である。Ｄ８は、気液分離器２２の液相冷媒出口の冷媒状態である。
【００７７】
本実施形態の暖房運転時では、冷媒の状態がＤ１→Ｄ２→Ｄ３→Ｄ４→Ｄ６→Ｄ７→Ｄ１の順に変化して、かつ冷媒の状態がＤ７→Ｄ8→Ｄ５→Ｄ６→Ｄ７の順に変化する。
【００７８】
以上説明した本実施形態によれば、エジェクタ式冷凍サイクル１０は、インジェクタ１１０ｄ、１００ｄを備える。
【００７９】
冷房運転時に、インジェクタ１１０ｄは、分岐部Ｂ３からエジェクタ３０の入口１１０ａを開けて分岐部Ｂ３からエジェクタ３０の入口１１０ａに冷媒が流れることを許容する。インジェクタ１００ｄは、エジェクタ２１のノズル１００および分岐部Ｂ３の間の冷媒通路を閉じる。
【００８０】
冷房運転時には、室内熱交換器３２において冷媒によって空気を冷却し、かつ室外熱交換器２５において冷媒から外気に放熱させるために、四方弁２４は、入口２４ｂおよび出口２４ａを接続し、かつ入口２４ｃおよび出口２４ｄを接続する。
【００８１】
これに加えて、四方弁２３は、入口２３ａおよび出口２３ｂを接続し、かつ入口２３ｃおよび出口２３ｄを接続する。開閉弁２６が分岐部Ｂ１と四方弁２３の出口２３ｂとの間の冷媒通路を閉じる。
【００８２】
このため、圧縮機２０→室外熱交換器２５→四方弁２４→エジェクタ３０の入口１１０ａ、出口１１０ｃ→熱交換器３２ｂ→四方弁２４→エジェクタ２１の吸入口１００ｂ、出口１００ｃ→気液分離器２２→圧縮機２０の順に冷媒が流れる。分岐部Ｂ３→減圧弁３１→熱交換器３２ａ→エジェクタ３０の吸入口１１０ｂの順に冷媒が流れる。
【００８３】
暖房運転時には、インジェクタ１１０ｄは、エジェクタ３０の入口１１０ａを閉じて入口１１０ａから分岐部Ｂ３に冷媒が流れ出ることを止める。インジェクタ１００ｄは、エジェクタ２１のノズル１００および分岐部Ｂ３の間の冷媒通路を開ける。
【００８４】
暖房運転時には、室内熱交換器３２において冷媒から空気に放熱し、かつ室外熱交換器２５において冷媒によって外気から吸熱させるために、四方弁２４は、入口２４ｂおよび出口２４ｃを接続し、かつ入口２４ｄおよび出口２４ａを接続する。四方弁２３は、入口２３ａおよび出口２３ｄを接続し、かつ入口２３ｃおよび出口２３ｂを接続する。開閉弁２６が分岐部Ｂ１と四方弁２３の出口２３ｂとの間の冷媒通路を開ける。
【００８５】
このため、圧縮機２０→四方弁２３→開閉弁２６→熱交換器３２ａ→エジェクタ３０の吸入口１１０ｂ、出口１１０ｃ→熱交換器３２ｂ→四方弁２４→分岐部Ｂ２→エジェクタ２１の入口１００ａ、出口１００ｃ→気液分離器２２の入口、気相冷媒出口→圧縮機２０の順に冷媒が流れる。気液分離器２２の液相冷媒出口→四方弁２３→熱交換器２５→四方弁２４→エジェクタ２１の吸入口１００ｂの順に冷媒が流れる。
【００８６】
以上により、冷房運転時には、熱交換器３２ａ、３２ｂにおいて冷媒が空気から吸熱するため、熱交換器３２ｂから気相冷媒を排出させることができる。このため、エジェクタ３０の出口１１０ｃ側に気液分離器を設ける必要が無い。
【００８７】
これにより、冷房、暖房の切替時には、室内機１２の気液分離器と室外機１１の気液分離器２２との間で液相冷媒が移動しなくなる。したがって、冷房、暖房の切替時における作動の安定性を向上するようにしたエジェクタ式冷凍サイクル１０を提供するこができる。
さらに、本実施形態によれば、冷房、暖房の切替時には、室内機１２と室外機１１との間で液相冷媒が移動しなくなる。このため、冷媒の充填量管理が簡素となり、また作動中におけるオイルの管理も簡素となり、機器が故障し難くなる。
【００８８】
（第２実施形態）
上記第１実施形態では、室外機１１に気液分離器２２を設けた例について説明したが、これに代えて、室外機１１から気液分離器２２を削除した本第２実施形態について図７、図８、図９を参照して説明する。
本実施形態と上記第１実施形態とは、室外機１１の構成が相違するだけで、室内機１２が同一である。そこで、以下、主に室外機１１の構成について説明する。図７、図９と図１とにおいて、同一符号は、同一のものを示し、その説明を省略する。
【００８９】
本実施形態のエジェクタ式冷凍サイクル１０は、エジェクタ２１、減圧弁２１ａ、四方弁２３、圧縮機２０、開閉弁２６、２６ａ、および室外熱交換器２５に代わる室外熱交換器２５Ａを備える。
【００９０】
エジェクタ２１の入口１００ａは、冷媒流路によって分岐部Ｂ２に接続されている。分岐部Ｂ２は、減圧弁２１ａの入口および分岐部Ｂ３が接続される共通接続部である。エジェクタ２１の出口１００ｃは、冷媒流路によって室外熱交換器２５Ａの熱交換器２５ｂの入口に接続されている。分岐部Ｂ３は、減圧弁３１の入口およびエジェクタ３０の入口１１０ａが接続されている共通接続部である。
【００９１】
減圧弁２１ａは、分岐部Ｂ２と室外熱交換器２５Ａの熱交換器２５ａの入口との間に配置されている。熱交換器２５ａの出口は、冷媒流路によってエジェクタ２１の吸入口１００ｂに接続されている。
【００９２】
四方弁２３の入口２３ａは、冷媒流路によって熱交換器２５ｂの出口に接続されている。四方弁２３の入口２３ｃは、冷媒流路によって室内機１２の室内熱交換器３２の熱交換器３２ｂの出口に接続されている。四方弁２３の出口２３ｂは、冷媒流路によって圧縮機２０の入口に接続されている。
【００９３】
四方弁２３の出口２３ｄは、冷媒流路によって分岐部Ｂ２に接続されている。圧縮機２０の出口は、冷媒流路によって分岐部Ｂ５に接続されている。分岐部Ｂ５は、開閉弁２６ａの入口と開閉弁２６の入口とが接続されている共通接続部である。開閉弁２６ａの出口は、冷媒流路によって分岐部Ｂ４に接続されている。開閉弁２６ａは、分岐部Ｂ５、Ｂ４の間の冷媒流路を開閉する。
【００９４】
分岐部Ｂ４は、減圧弁２１ａの出口と熱交換器２５ａの入口とが接続される共通接続部である。開閉弁２６の出口は、室内機１２の分岐部Ｂ１に接続されている。開閉弁２６は、分岐部Ｂ１、Ｂ５の間を開閉する。
【００９５】
次に、本実施形態のエジェクタ式冷凍サイクル１０の作動について冷房運転時と暖房運転時とに分けて説明する。
【００９６】
（冷房運転）
以下、エジェクタ式冷凍サイクル１０の冷房運転時の作動について図７を参照して説明する。
【００９７】
まず、室外機１１において、四方弁２３は、入口２３ｂおよび出口２３ｃを接続し、かつ入口２３ａおよび出口２３ｄを接続する。開閉弁２６が分岐部Ｂ５、Ｂ１の間の冷媒通路を閉じている。開閉弁２６ａが分岐部Ｂ５、Ｂ４の間の冷媒通路を開けている。
【００９８】
室内機１２のエジェクタ３０の入口１１０ａがインジェクタ１１０ｄによって開けられている。室外機１１のエジェクタ２１の入口１００ａがインジェクタ１００ｄによって閉じられている。
【００９９】
まず、圧縮機２０は、四方弁２３の出口２３ｂから冷媒を吸入して圧縮して高温高圧の気相冷媒を吐出する。この吐出された気相冷媒は、開閉弁２６ａを通して室外熱交換器２５Ａの熱交換器２５ａに流れる。熱交換器２５ａでは、気相冷媒が外気に放熱する。この放熱した気相冷媒は、エジェクタ２１の吸入口１００ｂに流れる。
【０１００】
この吸入口１００ｂに流れる気相冷媒は、混合部１０１を通してディフューザ１０２に流れ、このディフューザ１０２に流れた気相冷媒は、熱交換器２５ｂにおいて、外気に放熱する。この放熱した気相冷媒が、四方弁２３の入口２３ａおよび出口２３ｄを通して室内機１２の分岐部Ｂ３に流れる。この分岐部Ｂ３に流れる気相冷媒の一部は、エジェクタ３０の入口１１０ａに流れる。
【０１０１】
ここで、この分岐部Ｂ３に流れる気相冷媒のうちエジェクタ３０の入口１１０ａに流れる冷媒以外の残りの気相冷媒は、減圧弁３１によって減圧膨張される。この減圧膨張される冷媒は、熱交換器３２ａにおいて、空気との間の熱交換によって空気から吸熱する。この吸入される冷媒は、エジェクタ３０の吸入口１１０ｂに流れる。
【０１０２】
一方、エジェクタ３０の入口１１０ａに流れる冷媒は、ノズル１１０において減圧膨張されて混合部１１１に噴射される。
【０１０３】
この混合部１１１に冷媒が噴射されることにより、熱交換器３２ａからの冷媒が吸入口１１０ｂに吸引される。ディフューザ１１２では、吸入口１１０ｂから吸引された冷媒とノズル１１０から噴射する冷媒とが混合しながら圧力を昇圧されて出口１１０ｃから排出される。この排出された冷媒は、熱交換器３２ｂにおいて、空気との間で熱交換して空気から吸熱する。
【０１０４】
このため、エジェクタ３０から流れ出る冷媒は、熱交換器３２ｂから気相冷媒として流れ出る。この流れ出る気相冷媒は、室外機１１の四方弁２３の入口２３ｃ、出口２３ｂを通して圧縮機２０の入口に流れる。
【０１０５】
本実施形態の冷房運転時における冷媒の状態変化について上記第１実施形態における図４のモリエル線を用いて参照して説明する。
【０１０６】
本実施形態では、Ｒ１は圧縮機２０の入口の冷媒状態であり、Ｒ２は圧縮機２０の吐出口の冷媒状態であり、Ｒ３は熱交換器２５ｂの出口の冷媒状態であり、Ｒ４は減圧弁３１の出口の冷媒状態である。Ｒ５は熱交換器３２ａの出口の冷媒状態であり、Ｒ６はエジェクタ３０の混合部１１１の冷媒状態であり、Ｒ７はエジェクタ３０の出口１１０ｃの冷媒状態である。Ｒ８は、ノズル１１０内の冷媒状態である。
【０１０７】
本実施形態の冷房運転時では、冷媒の状態がＲ１→Ｒ２→Ｒ３→Ｒ４→Ｒ５→Ｒ６→Ｒ７→Ｒ１の順に変化して、かつ冷媒の状態がＲ３→Ｒ８→Ｒ６の順に変化する。
【０１０８】
（暖房運転）
以下、エジェクタ式冷凍サイクル１０の暖房時の作動について図８を参照して説明する。
【０１０９】
まず、室外機１１において、四方弁２３は、入口２３ａおよび出口２３ｂを接続し、かつ入口２３ｃおよび出口２３ｄを接続する。開閉弁２６が分岐部Ｂ１、Ｂ５の間の冷媒通路を開ける。開閉弁２６ａが分岐部Ｂ４、Ｂ５の間の冷媒通路を閉じる。
【０１１０】
室内機１２のエジェクタの入口１１０ａがインジェクタ１１０ｄによって閉じられている。室外機１１のエジェクタ２１の入口１００ａがインジェクタ１００ｄによって開けられている。
【０１１１】
まず、圧縮機２０は、四方弁２３の出口２３ｂから気相冷媒を吸入して圧縮して高温高圧の気相冷媒を吐出する。この吐出された気相冷媒は、開閉弁２６を通して室内機１２の室内熱交換器３２の熱交換器３２ａに流れる。熱交換器３２ａは、気相冷媒が空気に放熱する。この放熱した気相冷媒は、エジェクタ３０の吸入口１１０ｂに流れる。
【０１１２】
この吸入口１１０ｂに流れる気相冷媒は、混合部１１１を通してディフューザ１１２に流れ、このディフューザ１１２に流れた気相冷媒が熱交換器３２ｂにおいて、空気に放熱する。この放熱した気相冷媒は、室外機１１の四方弁２３の入口２３ｃ、出口２３ｄを通して分岐部Ｂ２に流れる。分岐部Ｂ２に流れる気相冷媒の一部は、エジェクタ２１の入口１００ａに入る。
【０１１３】
一方、熱交換器３２ｂから四方弁２３の入口２３ｃ、出口２３ｄを通して分岐部Ｂ２に流れる気相冷媒のうち、エジェクタ２１の入口１００ａに入る気相冷媒以外の残りの気相冷媒は、減圧弁２１ａに流れる。この減圧弁２１ａでは、冷媒が減圧膨張される。
【０１１４】
この減圧膨張された冷媒は、熱交換器２５ａにおいて、外気から吸熱して蒸発する。この蒸発した冷媒は、エジェクタ２１の吸入口１００ｂに流れる。
【０１１５】
ここで、エジェクタ２１の入口１００ａに流れる冷媒は、ノズル１００によって減圧膨張されてノズル１００から混合部１０１に噴射される。
【０１１６】
この際に、混合部１０１では、ノズル１００から冷媒が噴出されることにより熱交換器２５ａからの冷媒が吸入口１００ｂに吸入される。このため、ディフューザ１０２は、吸入口１００ｂから吸引した冷媒とノズル１００から噴射する冷媒とが混合しながら冷媒圧力が昇圧されて出口１００ｃから排出される。この排出された冷媒は、熱交換器２５ｂにおいて、外気から吸熱して気化する。この気化した冷媒が、四方弁２３の入口２３ａ、出口２３ｂを通して圧縮機２０の入口に流れる。
【０１１７】
次に、本実施形態の暖房運転時における冷媒の状態変化について図９モリエル線を参照して説明する。
【０１１８】
図９は横軸をエンタルピーとし、縦軸を圧力として、Ｈ１を飽和蒸気線とし、Ｈ２を飽和液線とし、丸点を臨界点とし、エジェクタ式冷凍サイクル１０における冷媒の状態変化を示すモリエル線である。
【０１１９】
Ｄ１は圧縮機２０の入口の冷媒状態であり、Ｄ２は圧縮機２０の吐出口の冷媒状態であり、Ｄ３は熱交換器３２ｂの出口の冷媒状態である。Ｄ４はエジェクタ２１のノズル１００内の冷媒状態である。Ｄ６はエジェクタ２１の混合部１０１の冷媒状態であり、Ｄ７はエジェクタ２１の出口１００ｃの冷媒状態である。Ｄ８は、減圧弁２１ａの出口の冷媒状態であり、Ｄ９は熱交換器２５ａの出口の冷媒状態である。
【０１２０】
本実施形態の暖房運転時では、冷媒の状態がＤ１→Ｄ２→Ｄ３→Ｄ４→Ｄ６→Ｄ７→Ｄ１の順に変化して、かつ冷媒の状態がＤ３→Ｄ８→Ｄ９→Ｄ６の順に変化する。
【０１２１】
以上説明した本実施形態によれば、冷房運転時には、圧縮機２０→開閉弁２６ａ→熱交換器２５ａ→エジェクタ２１の吸入口１００ｂ、出口１００ｃ→熱交換器２５ｂ→四方弁２３→分岐部Ｂ３→エジェクタ３０の入口１１０ａ、出口１１０ｃ→熱交換器３２ｂ→四方弁２３→圧縮機２０の順に冷媒が流れる。これに加えて、分岐部Ｂ３→減圧弁３１→熱交換器３２ａ→エジェクタ３０の吸入口１１０ｂの順に冷媒が流れる。
【０１２２】
この場合、熱交換器３２ａ、３２ｂでは、空気から冷媒が吸熱して気化するため、熱交換器３２ｂから気相冷媒を圧縮機２０の入口に流すことができる。
【０１２３】
暖房運転時には、圧縮機２０→開閉弁２６→熱交換器３２ａ→エジェクタ３０の吸入口１１０ｂ、出口１１０ｃ→熱交換器３２ｂ→四方弁２３→分岐部Ｂ２→エジェクタ２１の入口１００ａの順に冷媒が流れる。
【０１２４】
一方、分岐部Ｂ２→減圧弁２１ａ→熱交換器２５ａ→エジェクタ２１の吸入口１００ｂの順に冷媒が流れる。その後、エジェクタ２１の出口１００ｃ→熱交換器２５ｂ→四方弁２３→圧縮機２０の順に冷媒が流れる。
【０１２５】
この場合、熱交換器２５ａ、２５ｂでは、外気から冷媒が吸熱して気化するため、熱交換器２５ｂから気相冷媒を圧縮機２０に流すことができる。
【０１２６】
以上により、室内機１２側（つまり、エジェクタ３０の出口１１０ｃ側）に気液分離器を設ける必要が無くなる。これに加えて、室外機１１（つまり、エジェクタ２１の出口１００ｃ側）に気液分離器を設ける必要が無くなる。
【０１２７】
これにより、冷房、暖房の切替時には、２つの気液分離器の間で液相冷媒の移動が不要となる。したがって、冷房、暖房の切替時における作動の安定性を向上するようにしたエジェクタ式冷凍サイクル１０を提供するこができる。
さらに、本実施形態によれば、冷房、暖房の切替時には、室内機１２側と室外機１１側との間で液相冷媒が移動しなくなる。このため、冷媒の充填量管理が簡素となり、また作動中におけるオイルの管理も簡素となり、機器が故障し難くなる。
【０１２８】
（第３実施形態）
上記第１実施形態では、冷房、暖房の切替時にて冷媒流路を切り替えるために、四方弁２３、２４を用いた例について説明したが、これに代えて、開閉弁４０〜４５を用いた本第３実施形態について図１０、図１１を参照して説明する。
【０１２９】
図１０、図１１において、図１、図５と同一符号は、同一のものを示し、その説明を省略する。
【０１３０】
本実施形態の開閉弁４０、４１は、四方弁２３の代わりに用いられる。開閉弁４０は、分岐部Ｂ５、Ｂ７の間の冷媒通路を開閉する弁である。分岐部Ｂ７は、気液分離器２２の液相冷媒出口と熱交換器２５の入口とが冷媒通路によって接続される共通接続部である。
分岐部Ｂ５は、開閉弁４０の入口、圧縮機２０の出口、開閉弁２６の入口が冷媒通路によって接続される共通接続部である。開閉弁４１は、分岐部Ｂ７と気液分離器２２の液相冷媒出口との間の冷媒通路を開閉する第２弁である。開閉弁２６は、分岐部Ｂ５、Ｂ１の間の冷媒通路を開閉する弁である。
【０１３１】
本実施形態の開閉弁４２、４３、４４、４５は、四方弁２４の代わりに用いられる。開閉弁４２は、室外熱交換器２５の出口とエジェクタ２１の吸入口１００ｂとの間の冷媒通路を開閉する弁である。開閉弁４３は、分岐部Ｂ２、Ｂ６の間の冷媒通路を開閉する弁である。
分岐部Ｂ２は、開閉弁４３の出口、エジェクタ２１の入口１００ａ、分岐部Ｂ３、および開閉弁４５の出口が冷媒通路によって接続されている共通接続部である。分岐部Ｂ６は、開閉弁４２の入口と室外熱交換器２５の出口とが冷媒通路によって接続されている共通接続部である。
開閉弁４４は、分岐部Ｂ２、Ｂ９の間の冷媒通路において開閉弁４５に対して直列に配置され、分岐部Ｂ９、Ｂ８の間の冷媒通路を開閉する弁である。分岐部Ｂ８は、分岐部Ｂ２、Ｂ９の間の冷媒通路において、開閉弁４４の入口、開閉弁４５の入口、および熱交換器３２ｂの出口が接続されている共通接続部である。
分岐部Ｂ９は、エジェクタ２１の出口１００ｃと気液分離器２２の入口とが冷媒通路によって接続される共通接続部である。開閉弁４５は、分岐部Ｂ２、Ｂ８の間の冷媒通路を開閉する弁である。冷媒流路１２０は、熱交換器３２ｂの出口から流れる冷媒を分岐部Ｂ８に導く冷媒流路である。
【０１３２】
次に、本実施形態のエジェクタ式冷凍サイクル１０の作動について冷房運転時と暖房運転時とに分けて説明する。
【０１３３】
（冷房運転）
まず、開閉弁２６が分岐部Ｂ５、Ｂ１の間の冷媒通路を閉じる。開閉弁４０が分岐部Ｂ５、Ｂ７との間の冷媒通路を開ける。開閉弁４１が室外熱交換器２５の入口と気液分離器２２の液相冷媒出口との間の冷媒通路を閉じる。
【０１３４】
開閉弁４２が室外熱交換器２５の出口およびエジェクタ２１の吸入口１００ｂの間の冷媒通路を閉じる。開閉弁４３が分岐部Ｂ６、Ｂ２の間の冷媒通路を開ける。開閉弁４４が分岐部Ｂ８、Ｂ９の間の冷媒通路を開ける。開閉弁４５が分岐部Ｂ８、Ｂ２の間の冷媒通路を閉じる。
【０１３５】
このため、冷房運転時には、圧縮機２０→開閉弁４０→室外熱交換器２５→開閉弁４３→分岐部Ｂ２→分岐部Ｂ３→エジェクタ３０の入口１１０ａ、出口１１０ｃ→熱交換器３２ｂ→開閉弁４４→気液分離器２２→圧縮機２０の順に冷媒が流れる。これに加えて、分岐部Ｂ３→減圧弁３１→熱交換器３２ａ→エジェクタ３０の吸入口１１０ｂの順に冷媒が流れる。
【０１３６】
この場合、熱交換器３２ａ、３２ｂでは、空気から冷媒が吸熱して気化するため、熱交換器３２ｂから気相冷媒を圧縮機２０に流すことができる。
【０１３７】
（暖房運転）
まず、開閉弁２６が分岐部Ｂ５、Ｂ１の間の冷媒通路を開ける。開閉弁４０が分岐部Ｂ５、Ｂ７との間の冷媒通路を閉じる。開閉弁４１が室外熱交換器２５の入口と気液分離器２２の液相冷媒出口との間の冷媒通路を開ける。
【０１３８】
開閉弁４２が室外熱交換器２５の出口およびエジェクタ２１の吸入口１００ｂの間の冷媒通路を開ける。開閉弁４３が分岐部Ｂ６、Ｂ２の間の冷媒通路を閉じる。開閉弁４４が分岐部Ｂ８、Ｂ９の間の冷媒通路を閉じる。開閉弁４５が分岐部Ｂ８、Ｂ２の間の冷媒通路を開ける。
【０１３９】
このため、暖房運転時には、圧縮機２０→開閉弁２６→熱交換器３２ａ→エジェクタ３０の吸入口１１０ｂ、出口１１０ｃ→熱交換器３２ｂ→開閉部４５→エジェクタ２１の入口１００ａ、出口１００ｃ→気液分離器２２の入口、気相冷媒出口→圧縮機２０の入口の順に冷媒が流れる。
【０１４０】
一方、気液分離器２２の液相冷媒出口→開閉弁４１→室外熱交換器２５→開閉弁４２→エジェクタ２１の吸入口１００ｂの順に冷媒が流れる。
【０１４１】
以上により、上記第１実施形態と同様、室内機１２側（つまり、エジェクタ３０の出口１１０ｃ側）に気液分離器を設ける必要が無くなる。
【０１４２】
このため、冷房、暖房の切替時には、室内機１２と室外機１１との間で液相冷媒の移動が不要となる。したがって、冷房、暖房の切替時における作動の安定性を向上するようにしたエジェクタ式冷凍サイクル１０を提供するこができる。
さらに、本実施形態によれば、上記第１実施形態と同様に、冷房、暖房の切替時には、室内機１２側と室外機１１側との間で液相冷媒が移動しなくなる。このため、冷媒の充填量管理が簡素となり、また作動中におけるオイルの管理も簡素となり、機器が故障し難くなる。
【０１４３】
（第４実施形態）
上記第２実施形態では、冷房、暖房の切替時にて冷媒流路を切り替えるために、四方弁２３および開閉弁２６ａを用いた例について説明したが、これに代えて、開閉弁４０、４１、４４、４５、４６を用いた本第４実施形態について図１２、図１３を参照して説明する。
【０１４４】
図１２、図１３において、図１、図５と同一符号は、同一のものを示し、その説明を省略する。
【０１４５】
本実施形態の開閉弁４０、４１、４４、４５、４６は、四方弁２３の代わりに用いられる。
【０１４６】
開閉弁４０は、分岐部Ｂ５、Ｂ４の間の冷媒通路を開閉する弁である。分岐部Ｂ５は、圧縮機２０の出口と開閉弁２６の入口と開閉弁４０の入口とが冷媒通路によって接続されている共通接続部である。分岐部Ｂ４は、減圧弁２１ａの出口と熱交換器２５ａの入口と開閉弁４０の出口とが冷媒通路によって接続されている共通接続部である。
開閉弁４１は、分岐部Ｂ６、Ｂ７の間の冷媒通路を開閉する弁である。分岐部Ｂ７は、開閉弁４５の入口と開閉弁４１の入口と熱交換器３２ｂの出口とが冷媒通路によって接続される共通接続部である。
分岐部Ｂ6は、開閉弁４６の出口と圧縮機２０の入口と開閉弁４１の出口とが冷媒通路によって接続されている共通接続部である。
【０１４７】
開閉弁４４は、分岐部Ｂ８、Ｂ９の間の冷媒通路を開閉する弁である。分岐部Ｂ８は、分岐部Ｂ２と開閉弁４４の入口と開閉弁４５の出口が冷媒通路によって接続される共通接続部である。
分岐部Ｂ９は、開閉弁４６の入口と開閉弁４４の入口と熱交換器２５ｂの出口とが冷媒通路によって接続される共通接続部である。開閉弁４５は、分岐部Ｂ７、Ｂ８の間の冷媒通路を開閉する弁である。
【０１４８】
開閉弁４６は、分岐部Ｂ９、Ｂ6の間の冷媒通路を開閉する弁である。分岐部Ｂ６は、圧縮機２０の入口と開閉弁４１の出口と開閉弁４６の出口とが冷媒通路によって接続される共通接続部である。
【０１４９】
開閉弁２６は、分岐部Ｂ１、Ｂ５との間の冷媒通路を開閉する弁である。分岐部Ｂ５は、分岐部Ｂ１と圧縮機２０の出口と開閉弁４０の入口とが冷媒通路によって接続される共通接続部である。
【０１５０】
次に、本実施形態のエジェクタ式冷凍サイクル１０の作動について図１２、図１３を参照して冷房運転時と暖房運転時とに分けて説明する。
【０１５１】
（冷房運転）
まず、開閉弁４０は、分岐部Ｂ５、Ｂ４の間の冷媒通路を開ける。開閉弁４１は、分岐部Ｂ６、Ｂ７の間の冷媒通路を開ける。開閉弁４４は、分岐部Ｂ８、Ｂ９の間の冷媒通路を開ける。開閉弁４５は、分岐部Ｂ７、Ｂ８の間の冷媒通路を閉じる。開閉弁４６は、分岐部Ｂ９、Ｂ６の間の冷媒通路を閉じる。開閉弁２６は、分岐部Ｂ１、Ｂ５の間の冷媒通路を閉じる。
【０１５２】
このため、冷房運転時には、圧縮機２０→開閉弁４０→熱交換器２５ａ→エジェクタ２１の吸入口１００ｂ、出口１００ｃ→熱交換器２５ｂ→開閉弁４４→分岐部Ｂ３→エジェクタ３０の入口１１０ａ、出口１１０ｃ→熱交換器３２ｂ→開閉弁４１→圧縮機２０の入口の順に冷媒が流れる。これに加えて、分岐部Ｂ３→減圧弁３１→熱交換器３２ａ→エジェクタ３０の吸入口１１０ｂの順に冷媒が流れる。
【０１５３】
この場合、熱交換器３２ａ、３２ｂでは、空気から冷媒が吸熱して気化するため、熱交換器３２ｂから気相冷媒を圧縮機２０の入口に流すことができる。
【０１５４】
（暖房運転）
まず、開閉弁４０は、分岐部Ｂ５、Ｂ４の間の冷媒通路を閉じる。開閉弁４１は、分岐部Ｂ６、Ｂ７の間の冷媒通路を閉じる。開閉弁４４は、分岐部Ｂ８、Ｂ９の間の冷媒通路を閉じる。開閉弁４５は、分岐部Ｂ７、Ｂ８の間の冷媒通路を開ける。開閉弁４６は、分岐部Ｂ９、Ｂ６の間の冷媒通路を開ける。開閉弁２６は、分岐部Ｂ１、Ｂ５の間の冷媒通路を開ける。
暖房運転時には、圧縮機２０→開閉弁２６→熱交換器３２ａ→エジェクタ３０の吸入口１１０ｂ、出口１１０ｃ→熱交換器３２ｂ→開閉弁４５→分岐部Ｂ２→エジェクタ２１の入口１００ａの順に冷媒が流れる。
【０１５５】
一方、分岐部Ｂ２→減圧弁２１ａ→熱交換器２５ａ→エジェクタ２１の吸入口１００ｂの順に冷媒が流れる。その後、エジェクタ２１の出口１００ｃ→熱交換器２５ｂ→開閉弁４６→圧縮機２０の入口の順に冷媒が流れる。
【０１５６】
この場合、熱交換器２５ａ、２５ｂでは、空気から冷媒が吸熱して気化するため、熱交換器２５ｂから気相冷媒を圧縮機２０の入口に流すことができる。
【０１５７】
このため、エジェクタ３０の出口１１０ｃ側に気液分離器を設ける必要が無い。さらに、エジェクタ２１の出口１００ｃ側に気液分離器を設ける必要が無い。
【０１５８】
以上により、冷房、暖房の切替時には、室内機１２と室外機１１との間で液相冷媒の移動が不要となる。したがって、冷房、暖房の切替時における作動の安定性を向上するようにしたエジェクタ式冷凍サイクル１０を提供するこができる。
さらに、本実施形態によれば、上記第１実施形態と同様に、冷房、暖房の切替時には、室内機１２側と室外機１１側との間で液相冷媒が移動しなくなる。このため、冷媒の充填量管理が簡素となり、また作動中におけるオイルの管理も簡素となり、機器が故障し難くなる。
【０１５９】
（第５実施形態）
上記第１、第３の実施形態では、エジェクタ３０の入口１１０ａを開閉するためにインジェクタ１１０ｄを設け、かつエジェクタ２１の入口１００ａを開閉するためにインジェクタ１００ｄを設けた例について説明した。これに代えて、逆止弁５０や開閉弁５１を設けた本第５実施形態について図１４、図１５を参照して説明する。
【０１６０】
図１４、図１５において、図１、図５と同一符号は、同一のものを示し、その説明を省略する。
【０１６１】
本実施形態の逆止弁５０は、インジェクタ１１０ｄの代わりに設けられている。逆止弁５０は、分岐部Ｂ３とエジェクタ３０の入口１１０ａとの間に配置されている。
【０１６２】
開閉弁５１は、インジェクタ１００ｄの代わりに設けられている。開閉弁５１は、分岐部Ｂ２とエジェクタ２１の入口１００ａとの間に配置されている。
【０１６３】
冷房運転時には、逆止弁５０は、分岐部Ｂ３から冷媒がエジェクタ３０のノズル１１０に流れることを許容する。
【０１６４】
開閉弁５１は、分岐部Ｂ２とエジェクタ２１のノズル１００との間の冷媒通路を閉じる。このため、開閉弁５１は、分岐部Ｂ２およびエジェクタ２１のノズル１００の間の冷媒通路に冷媒が流通することを止める。
【０１６５】
暖房運転時には、逆止弁５０は、冷媒がエジェクタ３０の吸入口１１０ｂから入口１１０ａを通して分岐部Ｂ３に流れることを止める。
【０１６６】
開閉弁５１は、分岐部Ｂ２とエジェクタ２１の入口１００ａとの間の冷媒通路を開ける。このため、開閉弁５１は、分岐部Ｂ２からエジェクタ２１の入口１００ａへ冷媒が流通することを許容する。
【０１６７】
このように構成される本実施形態によれば、上記第１、第３の実施形態と同様の効果を得ることができる。
【０１６８】
（他の実施形態）
（１）上記第５実施形態では、インジェクタ１１０ｄに代わる逆止弁５０を設け、インジェクタ１００ｄに代わる開閉弁５１を設けた例について説明した。しかし、これと同様に、上記第２、第４の実施形態において、インジェクタ１１０ｄに代わる逆止弁５０を設け、インジェクタ１００ｄに代わる開閉弁５１を設けてもよい。
【０１６９】
（２）上記第１〜４実施形態では、室内機１２のエジェクタ３０の出口１１０ｃに熱交換器３２ｂの入口を接続した例について説明した。しかし、これに代えて、室内機１２から熱交換器３２ｂを削除してもよい。
この場合、冷房運転時には、熱交換器３２ｂにおいて冷媒が空気から吸熱してこの吸熱された冷媒が気相冷媒がエジェクタ３０の吸入口１１０ｂに吸入される。
これに伴い、エジェクタ３０の混合部１１１には、入口１１０ａからの冷媒と吸入口１１０ｂからの冷媒が混合されて、出口１１０ｃから気相冷媒として排出される。この排出された気相冷媒は、圧縮機２０の入口に流入される。
暖房運転時には、圧縮機２０からの高圧冷媒が熱交換器３２ａを通してエジェクタ３０の吸入口１１０ｂに吸入される。この吸入された冷媒は、エジェクタ３０の出口１１０ｃから分岐部Ｂ２に流れる。このため、室内機１２に気液分離器を設ける必要が無くなる。
（３）上記第２、第４実施形態では、室外機１１のエジェクタ２１の出口１００ｃに熱交換器２５ｂの入口を接続した例について説明した。しかし、これに代えて、室外機１１のエジェクタ２１から熱交換器２５ｂを削除してもよい。
この場合、暖房運転時には、熱交換器２５ａでは、冷媒が外気から吸熱してこの吸熱された冷媒が気相冷媒がエジェクタ２１の吸入口１００ｂに吸入される。
これに伴い、エジェクタ２１の混合部１０１には、入口１００ａからの冷媒と吸入口１００ｂからの気相冷媒が混合されて、出口１００ｃから気相冷媒として排出される。この排出された気相冷媒は、圧縮機２０の入口に流入される。
冷房運転時には、圧縮機２０からの高圧冷媒が熱交換器２５ａを通してエジェクタ２１の吸入口１００ｂに吸入される。この吸入された冷媒は、エジェクタ２１の出口１００ｃから分岐部Ｂ３に流れる。このため、室外機１１に気液分離器を設ける必要が無くなる。
（４）上記第１〜第４実施形態では、エジェクタ式冷凍サイクル１０を空調装置（全館空調機）に適用した例について説明したが、これに限らず、エジェクタ式冷凍サイクル１０を空調装置以外の機器に適用してもよい。
（５）上記第１〜第４実施形態では、冷房運転時に圧縮機２０の出口と熱交換器２５の入口とを接続し、かつ分岐部Ｂ１と気液分離器２２の液相冷媒出口との間を開放する第１切替部を開閉弁２６および四方弁２３によって構成した例について説明した。
しかし、これに限らず、冷房運転時に、圧縮機２０の出口と熱交換器２５の入口とを接続し、かつ分岐部Ｂ１と気液分離器２２の液相冷媒出口との間を開放するのであれば、開閉弁２６および四方弁２３以外の部材によって第１切替部を構成してもよい。
つまり、冷房運転時に、圧縮機２０の出口と熱交換器２５の入口とを接続し、かつ分岐部Ｂ１と気液分離器２２の液相冷媒出口との間の冷媒通路を閉じるのであれば、どのような部材によって第１切替部を構成してもよい。
（６）なお、本発明は上記した実施形態に限定されるものではなく、特許請求の範囲に記載した範囲内において適宜変更が可能である。また、上記各実施形態は、互いに無関係なものではなく、組み合わせが明らかに不可な場合を除き、適宜組み合わせが可能である。また、上記各実施形態において、実施形態を構成する要素は、特に必須であると明示した場合および原理的に明らかに必須であると考えられる場合等を除き、必ずしも必須のものではないことは言うまでもない。また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の形状、位置関係等に言及するときは、特に明示した場合および原理的に特定の形状、位置関係等に限定される場合等を除き、その形状、位置関係等に限定されるものではない。
【０１７０】
（まとめ）
上記第１〜第５実施形態、および他の実施形態の一部または全部に記載された第１の観点によれば、エジェクタ式冷凍サイクルは、冷媒を吸入して圧縮して吐出する圧縮機と、
空調対象空間へ送風される空気と冷媒との間で熱交換させる第１熱交換器と、外気と冷媒との間で熱交させる第２熱交換器とを備える。
エジェクタ式冷凍サイクルは、第１入口から流入される冷媒を減圧膨張する第１ノズルを備え、第１ノズルから冷媒が噴出されることにより第１熱交換器からの冷媒を第１吸入口を通して吸入し、この吸入される冷媒とノズルから噴出される冷媒とを昇圧して第１出口から排出する第１エジェクタを備える。
エジェクタ式冷凍サイクルは、冷媒を減圧させる減圧弁と、第２入口から流入される冷媒を減圧膨張する第２ノズルを備え、第２ノズルから冷媒が噴出されることにより第２吸入口を通して冷媒を吸入し、この吸入される冷媒と第２ノズルから噴出される冷媒とを昇圧して第２出口から吐出する第２エジェクタを備える。
エジェクタ式冷凍サイクルは、冷媒を液相冷媒と気相冷媒とに分離して気相冷媒を圧縮機の入口に供給する気液分離器と、
減圧弁の冷媒出口と第１熱交換器の冷媒入口とが接続される部位を第１分岐部とした場合において、圧縮機の出口と第２熱交換器の入口とを接続し、かつ気液分離器の液相冷媒出口と第１分岐部との間を開放した第１状態と、圧縮機の出口と第１分岐部とを接続し、かつ気液分離器の液相冷媒出口と第２熱交換器の入口との間を接続した第２状態とを切り替える第１切替部を備える。
エジェクタ式冷凍サイクルは、減圧弁の冷媒入口と第１エジェクタの第１入口と第２エジェクタの第２入口とが接続される部位を第２分岐部とした場合において、気液分離器の冷媒入口と第１エジェクタの第１出口とを接続し、かつ第２分岐部と第２熱交換器の出口とを接続した第３状態と、気液分離器の冷媒入口と第２熱交換器の出口とを接続し、かつ第１エジェクタの第１出口と第２分岐部とを接続した第４状態とを切り替える第２切替部を備える。
空調対象空間を冷却する冷房運転時には、第１熱交換器において冷媒によって空気を冷却し、かつ第２熱交換器において冷媒から外気に放熱させるために、第１切替部が第１状態にし、かつ第２切替部が第３状態にして、圧縮機からの冷媒が第２熱交換器を通して第１エジェクタの第１入口に流入し、第２熱交換器からの冷媒が減圧弁および第１熱交換器を通して第１エジェクタの第１吸入口に流入し、第１エジェクタの第１出口からの冷媒が気液分離器を通して圧縮機の入口に流入する。
空調対象空間を加熱する暖房運転時には、第１熱交換器において冷媒から空気に放熱し、かつ第２熱交換器において冷媒が外気から吸熱させるために、第１切替部が第２状態にし、第２切替部が第４状態にして、圧縮機からの冷媒が第１熱交換器、第１エジェクタの第１吸入口、第１出口、第２エジェクタの第２入口、第２出口を通して気液分離器に流入して、気液分離器からの気相冷媒が圧縮機の入口に流入し、かつ気液分離器からの液相冷媒が第２熱交換器を通して第２エジェクタの第２吸入口に流入する。
第２の観点によれば、エジェクタ式冷凍サイクルは、冷媒と空気との間で熱交換する第３熱交換器を備える。第２切替部は、第３状態と第４状態とを切り替える四方弁であり、第３熱交換器は、第１エジェクタの第１出口と四方弁との間に配置されている。
冷房運転時には、第３熱交換器において冷媒が空気を冷却するために、第１エジェクタの第１出口からの冷媒が、第３熱交換器、四方弁、気液分離器を通して圧縮機の入口に流れる。
暖房運転時には、第３熱交換器において冷媒から空気に放熱するために、第１エジェクタの第１出口からの冷媒が、第３熱交換器、四方弁を通して第２エジェクタの第２入口に流れる。
第３の観点によれば、エジェクタ式冷凍サイクルは、冷媒と空気との間で熱交換する第３熱交換器を備える。
第２切替部は、第２熱交換器の出口と第２エジェクタの第２吸入口との間の冷媒通路を開閉する第１弁と、第１弁の入口と第２分岐部との間の冷媒通路を開閉する第２弁と、第２エジェクタの第２出口と気液分離器の入口とが接続される部位を第９分岐部とし、第２分岐部と第９分岐部との間の冷媒通路を開閉する第３弁とを備える。
第２切替部は、第２分岐部と第９分岐部との間の冷媒通路と、第１エジェクタの第１出口とが接続される部位を第８分岐部とし、第２分岐部と第８分岐部との間の冷媒通路を開閉する第４弁を備える。第３熱交換器は、第１エジェクタの第１出口と第８分岐部との間に配置されている。
冷房運転時には、第１弁が第２熱交換器の出口と第２エジェクタの第２吸入口との間の冷媒通路を閉じ、第２弁が第１弁の入口と第２分岐部との間の冷媒通路を開け、第３弁が第８分岐部と第９分岐部との間の冷媒通路を開け、第４弁が第２分岐部と第８分岐部との間の冷媒通路を閉じる。
冷房運転時には、第３熱交換器において冷媒が空気を冷却するために、第１エジェクタの第１出口からの冷媒が、第３熱交換器、第３弁、気液分離器を通して圧縮機の入口に流れる。
暖房運転時には、第１弁が第２熱交換器の出口と第２エジェクタの第２吸入口との間の冷媒通路を開け、第２弁が第１弁の入口と第２分岐部との間の冷媒通路を閉じ、第３弁が第８分岐部と第９分岐部との間の冷媒通路を閉じ、第４弁が第２分岐部と第８分岐部との間の冷媒通路を開ける。
暖房運転時には、第３熱交換器において冷媒から空気に放熱するために、第１エジェクタの第１出口からの冷媒が、第３熱交換器、第４弁、第２エジェクタの第２入口に流れる。
第４の観点によれば、エジェクタ式冷凍サイクルは、冷媒を吸入して圧縮して吐出する圧縮機と、空調対象空間へ送風される空気と冷媒との間で熱交換させる第１熱交換器と、外気と冷媒との間で熱交させる第２熱交換器とを備える。
エジェクタ式冷凍サイクルは、第１入口から流入される冷媒を減圧膨張する第１ノズルを備え、第１ノズルから冷媒が噴出されることにより第１熱交換器から第１吸入口を通して冷媒を吸入し、この吸入される冷媒とノズルから噴出される冷媒とを昇圧して第１出口から排出する第１エジェクタを備える。
エジェクタ式冷凍サイクルは、冷媒を減圧させる第１減圧弁と、第２入口から流入される冷媒を減圧膨張する第２ノズルを備え、第２ノズルから冷媒が噴出されることにより第２熱交換器から第２吸入口を通して冷媒を吸入し、この吸入される冷媒とノズルから噴出される冷媒とを昇圧して第２出口から吐出する第２エジェクタを備える。
エジェクタ式冷凍サイクルは、冷媒を減圧させる第２減圧弁と、第１減圧弁の冷媒出口と第１熱交換器の冷媒入口とが接続される部位を第１分岐部とし、第１減圧弁の冷媒入口、第２減圧弁の冷媒入口、第１エジェクタの第１入口、および第２エジェクタの第１入口とが接続される部位を第２分岐部とした場合において、
第２エジェクタの第２出口と第２分岐部とを接続し、かつ圧縮機の入口と第１エジェクタの第１出口とを接続した第１状態と、第２エジェクタの第２出口と圧縮機の入口とを接続し、かつ第２分岐部と第１エジェクタの第１出口とを接続した第２状態とを切り替える切替部を備える。
空調対象空間を冷却する冷房運転時には、第１熱交換器において冷媒によって空気を冷却し、かつ第２熱交換器において冷媒から外気に放熱させるために、切替部が第１状態にして、
圧縮機からの冷媒が第２熱交換器、第２エジェクタの第２吸入口、第２出口を通して第１減圧弁、第１熱交換器を通して第１エジェクタの第１吸入口に流入し、第２エジェクタの第２出口からの冷媒が第１減圧弁、および第１熱交換器を通して第１エジェクタの第１吸入口に流入し、さらに第１エジェクタの第１出口からの冷媒が圧縮機の入口に流入する。
空調対象空間を加熱する暖房運転時には、第１熱交換器において冷媒から空気に放熱し、かつ第２熱交換器において冷媒が外気から吸熱させるために、切替部が第２状態にして、
圧縮機からの冷媒が第１熱交換器、第１エジェクタの第１吸入口、第１出口、第２エジェクタの第２入口、第２出口を通して圧縮機の入口に流入し、かつ第１エジェクタの第１出口からの冷媒が第２減圧弁、第２熱交換器を通して第２エジェクタの第２吸入口に流入する。
第５の観点によれば、エジェクタ式冷凍サイクルは、冷媒と空気との間で熱交換する第３熱交換器を備える。
切替部は、第１状態と第２状態とを切り替える四方弁を備える。第３熱交換器は、第１エジェクタの第１出口と四方弁との間に配置されている。
冷房運転時には、第３熱交換器において冷媒が空気を冷却するために、第１エジェクタの第１出口からの冷媒が、第３熱交換器、四方弁を通して圧縮機の入口に流れる。
暖房運転時には、第３熱交換器において冷媒から空気に放熱するために、第１エジェクタの第１出口からの冷媒が、第３熱交換器、四方弁を通して第２エジェクタの第２入口と第２減圧器の入口とに流れる。
第６の観点によれば、エジェクタ式冷凍サイクルは、冷媒と外気との間で熱交換する第４熱交換器を備える。
第４熱交換器は、第２エジェクタの第２出口と四方弁との間に配置されている。
冷房運転時には、第４熱交換器において冷媒から外気に放熱させるために、第２エジェクタの第２出口からの冷媒が第４熱交換器、四方弁を通過してから、第１減圧器の入口と第１エジェクタの第１入口に流れる。
暖房運転時には、第４熱交換器において冷媒によって外気から吸熱させるために、第２エジェクタの第２出口からの冷媒が第４熱交換器、四方弁を通過してから圧縮機の入口に流入される。
第７の観点によれば、エジェクタ式冷凍サイクルは、冷媒と空気との間で熱交換する第３熱交換器を備える。
切替部は、圧縮機の入口と第１エジェクタの第１出口との間の冷媒通路を開閉する第１弁と、第１エジェクタの第１出口と第１弁の入口とが接続される部位を第７分岐部としたとき、第７分岐部と第２分岐部との間の冷媒通路を開閉する第２弁とを備える。
第３熱交換器は、第１エジェクタの第１出口と第７分岐部との間に配置されている。冷房運転時には、第３熱交換器において冷媒により空気を冷却させるために、第１弁が圧縮機の入口と第１エジェクタの第１出口との間の冷媒通路を開け、第２弁が第７分岐部と第２分岐部との間の冷媒通路を閉じる。
第１エジェクタの第１出口からの冷媒が第３熱交換器、第１弁を通して圧縮機の入口に流れる。
暖房運転時には、第３熱交換器において冷媒から空気に放熱させるために、第１弁が圧縮機の入口と第１エジェクタの第１出口との間の冷媒通路を閉じ、第２弁が第７分岐部と第２分岐部との間の冷媒通路を開ける。
第１エジェクタの第１出口からの冷媒が、第３熱交換器、第２弁を通して第２エジェクタの第２入口と第２減圧器の入口に流れる。
第８の観点によれば、エジェクタ式冷凍サイクルは、冷媒と外気との間で熱交換する第４熱交換器を備える。
切替部は、第１弁の出口と圧縮機の入口とが接続される部位を第６分岐部としたとき、第６分岐部と第２エジェクタの第２出口との間の冷媒通路を開閉する第３弁と、第３弁の入口と第２エジェクタの第２出口とが接続される部位を第９分岐部としたとき、第２分岐部および第９分岐部の間の冷媒通路を開閉する第４弁と、を備える。
第４熱交換器は、第２エジェクタの第２出口と第９分岐部との間に配置されている。
冷房運転時には、第４熱交換器において冷媒から外気に放熱させるために、第３弁が第６分岐部と第２エジェクタの第２出口との間の冷媒通路を閉じ、第４弁が第２分岐部および第９分岐部の間の冷媒通路を開ける。
第２エジェクタの第２出口からの冷媒が第４熱交換器、第４弁を通して第１エジェクタの第１入口と第１減圧器の入口とに流れる。
暖房運転時には、第４熱交換器において冷媒によって外気から吸熱させるために、第３弁が第６分岐部と第２エジェクタの第２出口との間の冷媒通路を開け、第４弁が第２分岐部および第９分岐部の間の冷媒通路を閉じる。
第２エジェクタの第２出口からの冷媒が第４熱交換器、第３弁を通して圧縮機の入口に流れる。
第９の観点によれば、エジェクタ式冷凍サイクルは、冷房運転時に、第２分岐部からの冷媒が第１エジェクタの第１入口に流れることを許容し、暖房運転時には、第１エジェクタの第１入口から冷媒が第２分岐部側に逆流することを止める第１弁を備える。
エジェクタ式冷凍サイクルは、冷房運転時に、第２分岐部および第２エジェクタの第２入口の間で冷媒が流れることを止め、暖房運転時には、第２分岐部から第２エジェクタの第２入口に冷媒が流れることを許容する第２弁と、を備える。
第１０の観点によれば、第１熱交換器、第１減圧弁、および第１エジェクタは、第１ユニットを構成し、第２熱交換器、および第２エジェクタは、第２ユニットを構成し、第１ユニットは、第２ユニットよりも天地方向上側に配置されている。
第１１の観点によれば、第２分岐部、第１減圧弁の入口、および第１エジェクタの入口が接続される部位を第３分岐部とした場合において、第３分岐部は、第１ユニットを構成する。
【符号の説明】
【０１７１】
１０    エジェクタ式冷凍サイクル
１１    室外機
１２    室内機
２０    圧縮機
２１、３０    エジェクタ
２２    気液分離器
２３、２４    四方弁
２５  熱交換器
２６  開閉弁
３１  減圧弁
３２  室内熱交換器
【図１】
2020060357.tif 000003
【図２】
2020060357.tif 000004
【図３】
2020060357.tif 000005
【図４】
2020060357.tif 000006
【図５】
2020060357.tif 000007
【図６】
2020060357.tif 000008
【図７】
2020060357.tif 000009
【図８】
2020060357.tif 000010
【図９】
2020060357.tif 000011
【図１０】
2020060357.tif 000012
【図１１】
2020060357.tif 000013
【図１２】
2020060357.tif 000014
【図１３】
2020060357.tif 000015
【図１４】
2020060357.tif 000016
【図１５】
2020060357.tif 000017
【図１６】
2020060357.tif 000018
【図１７】
2020060357.tif 000019